(57)【要約】本発明は、文字入力装置及びその方法に関するものであって、本発明に係る文字入力装置は、ベースと、上記ベースに設けられた入力部−上記入力部は、所定の入力領域内で基準位置から上記基準位置を中心として放射状に離隔配置された複数の第１方向指示位置のうち、いずれか１つに入力部を移動させることにより遂行される第１方向入力と、入力部自体に放射状に離隔配置される複数の第２方向指示位置のうち、いずれか１つを選択することにより遂行される第２方向入力が各々独立的に遂行可能に設けられる−と、上記入力部の移動を感知する第１感知部と、上記第２方向入力を感知する第２感知部と、上記入力部の移動が感知された上記第１方向指示位置に割り当てられた第１文字、及び上記第２方向入力が感知された上記第２方向指示位置に割り当てられた第２文字を上記メモリ部から抽出して実行する制御部と、を含み、これによって、文字入力に必要な空間を最小化し、かつ使用者の意図に従い各文字を正確に入力することができる。【選択図】図６
2009545054.tif 000002
【特許請求の範囲】
【請求項１】
ベースと、
前記ベースに設けられた入力部−前記入力部は、所定の入力領域内で基準位置から放射状に離隔配置された複数の第１方向指示位置のうち、いずれか１つに入力部を移動させることにより遂行される第１方向入力と、前記入力部自体に放射状に離隔配置される複数の第２方向指示位置のうち、いずれか１つを選択することにより遂行される第２方向入力が各々独立的に遂行可能に設けられる−と、
前記入力部の移動を感知する第１感知部と、
前記第２方向入力を感知する第２感知部と、
前記入力部の移動が感知された前記第１方向指示位置に割り当てられた第１文字、及び前記第２方向入力が感知された前記第２方向指示位置に割り当てられた第２文字をメモリ部から抽出して実行する制御部と、
を含むことを特徴とする文字入力装置。
【請求項２】
前記入力部は、前記入力部の中央に設けられた中央入力キーの選択、または前記入力部が前記ベースに対しての上昇及び下降のうち、１つ以上の方法により中央入力が遂行可能に設けられることを特徴とする請求項１に記載の文字入力装置。
【請求項３】
前記中央入力は、２段以上の多段入力が遂行可能に設けられることを特徴とする請求項２に記載の文字入力装置。
【請求項４】
前記第２方向入力は、前記入力部が前記複数の第２方向指示位置のうち、いずれか１つに向かって傾けて入力されることを特徴とする請求項１に記載の文字入力装置。
【請求項５】
前記第２方向入力は、前記入力部に各第２方向指示位置に対応して設けられた押圧部のうち、いずれか１つを選択して入力されることを特徴とする請求項１に記載の文字入力装置。
【請求項６】
前記第１方向入力は、前記入力部が前記基準位置から各第１方向指示位置に向かって滑動移動することにより遂行されることを特徴とする請求項１に記載の文字入力装置。
【請求項７】
前記第１方向入力は、前記入力部が前記第１方向指示位置のうち、いずれか１つに向かって傾斜移動することにより遂行されることを特徴とする請求項１に記載の文字入力装置。
【請求項８】
前記第２方向入力は、前記入力部の傾け程度、前記押圧部の押圧強さ、または押圧距離の差のうち、いずれか１つの方法により２段以上の多段入力可能に設けられることを特徴とする請求項１乃至７のうち、いずれか１項に記載の文字入力装置。
【請求項９】
前記第１方向入力は、前記入力部の移動距離、または移動押圧の強さの差によって、２段以上の多段入力可能に設けられることを特徴とする請求項８に記載の文字入力装置。
【請求項１０】
前記第１方向入力は、前記入力部の移動距離、傾け移動の程度、または移動押圧の強さの差のうち、いずれか１つによって、２段以上の多段入力可能に設けられることを特徴とする請求項１乃至７のうち、いずれか１項に記載の文字入力装置。
【請求項１１】
前記中央入力が前記第１方向入力、及び前記第２方向入力のうち、いずれか１つと同時に遂行される中央組み合せ入力により、各方向指示位置に本来割り当てられた文字とは異なる新たなデータが入力されることを特徴とする請求項２または３に記載の文字入力装置。
【請求項１２】
前記第１方向指示位置、または第２方向指示位置のうち、いずれか１つのみに母音文字が割り当てられることを特徴とする請求項１に記載の文字入力装置。
【請求項１３】
前記第１方向入力、及び前記第２方向入力のうちの１つ以上は、前記入力部を前記入力領域内で前記基準位置を中心として円周方向にも移動させることにより遂行されることを特徴とする請求項１に記載の文字入力装置。
【請求項１４】
前記ベースに設けられて、前記入力部の移動をガイドするガイド部をさらに含むことを特徴とする請求項１または１３に記載の文字入力装置。
【請求項１５】
前記ガイド部は、前記入力部を前記基準位置から各第１方向指示位置に向かって半径方向に沿って移動させることをガイドする複数の直線ガイドを含むことを特徴とする請求項１４に記載の文字入力装置。
【請求項１６】
前記ベースには前記入力領域に対応する円板形状の溝が形成されて、前記入力部の放射方向への移動距離を制限すると共に、前記入力部の前記円周方向への移動をガイドすることを特徴とする請求項１４に記載の文字入力装置。
【請求項１７】
前記第１方向入力、前記第２方向入力、及び前記中央入力のうち、１つ以上が遂行される際、クリック感を与えるクリック手段をさらに含むことを特徴とする請求項１または２に記載の文字入力装置。
【請求項１８】
前記ガイド部は、弾性材料で形成されることを特徴とする請求項１４に記載の文字入力装置。
【請求項１９】
前記入力部とベースとの間には、各々互いに異なる弾性係数を有し、前記多段入力に対応する数で設けられ、前記入力部から各第１方向指示位置に向かってそれらの弾性係数が徐々に増加するように順次に配置されて、前記多段の第１方向入力が前記弾性係数の差に応じて各段階別に区分されて、入力可能にする複数の弾性部材をさらに含むことを特徴とする請求項１０に記載の文字入力装置。
【請求項２０】
前記第１方向指示位置及び前記第２方向指示位置は、各々４乃至１２個の入力方向のうち、いずれか１つで設けられることを特徴とする請求項１に記載の文字入力装置。
【請求項２１】
前記第１方向指示位置と前記第２方向指示位置は、互いに異なる数で設けられることを特徴とする請求項２０に記載の文字入力装置。
【請求項２２】
前記入力部は、弾性材質で形成されることを特徴とする請求項１に記載の文字入力装置。
【請求項２３】
前記入力部の上部面には摺動防止部が設けられることを特徴とする請求項１に記載の文字入力装置。
【請求項２４】
前記基準位置に設けられて、前記入力部が前記基準位置に位置していることを感知する基準位置感知部をさらに含むことを特徴とする請求項１に記載の文字入力装置。
【請求項２５】
前記中央入力により入力モードの切換及び各種機能命令が遂行されることを特徴とする請求項２に記載の文字入力装置。
【請求項２６】
前記ベースの一側には入力モードの切換のためのモード切換キー、またはエンター、キャンセル、カーソルなどの機能命令を入力するためのファンクションキーのうち、１つ以上がさらに設けられることを特徴とする請求項１に記載の文字入力装置。
【請求項２７】
前記制御部により抽出された入力命令が表示されるディスプレイ部をさらに含むことを特徴とする請求項１に記載の文字入力装置。
【請求項２８】
前記ディスプレイ部は、前記ベースに着脱可能に設けられることを特徴とする請求項２７に記載の文字入力装置。
【請求項２９】
前記ディスプレイ部には使用者の入力動作に従う入力内容、または選択された入力モードにおける割り当てられた文字が表示されるキー表示部が設けられることを特徴とする請求項２７に記載の文字入力装置。
【請求項３０】
前記入力部自体は、前記ベース上で前記基準位置を中心として左右方向に回転可能に設けられることを特徴とする請求項１に記載の文字入力装置。
【請求項３１】
２つ以上の入力部が、前記ベースに設けられることを特徴とする請求項１に記載の文字入力装置。
【請求項３２】
各第２方向指示位置に対応する各入力部の上段、または各押圧部や前記中央入力キーのうちの１つ以上には、指の接近または接触を感知するタッチ感知部が設けられて、前記第２方向入力及び前記中央入力に加えてタッチ入力が遂行可能に設けられることを特徴とする請求項１乃至７、または請求項３１のうち、いずれか１項に記載の文字入力装置。
【請求項３３】
前記入力部の中央に設けられて、指の接触を感知する中央タッチ感知部をさらに含んで、前記制御部は前記中央タッチ感知部で指の接触が所定時間以上感知される場合、前記タッチ感知部の感知結果を無視して前記タッチ入力が遂行できないようにすることを特徴とする請求項１乃至７、または請求項３１のうち、いずれか１項に記載の文字入力装置。
【請求項３４】
前記入力部の中央に設けられて、指の接触を感知する中央タッチ感知部をさらに含み、
前記制御部は、前記中央タッチ感知部への指のタッチによる中央タッチ感知信号と前記第２方向入力の遂行に従う前記第２感知部の感知信号とが同時に受信される場合と、前記第２感知部の感知信号のみ受信される場合とを区別して、互いに異なる文字を入力することを特徴とする請求項１乃至７、または請求項３１のうち、いずれか１項に記載の文字入力装置。
【請求項３５】
前記２つの入力部のうち、いずれか１つによって文字入力が遂行され、他の１つによってはマウス機能が遂行されることを特徴とする請求項３１に記載の文字入力装置。
【請求項３６】
マウス入力モードの場合、前記第１方向入力によってマウスポインタの移動が遂行され、前記第２方向入力、または中央入力と第２方向入力によってはマウス左／右ボタンまたはスクロール操作が遂行されることを特徴とする請求項１、３１、または３５のうち、いずれか１項に記載の文字入力装置。
【請求項３７】
マウス入力モードの場合、前記２つの入力部のうち、いずれか１つによってマウスポインタの移動が遂行され、他の１つによってはマウス左／右ボタンまたはスクロール操作が遂行されることを特徴とする請求項３１に記載の文字入力装置。
【請求項３８】
前記２つの入力部のうち、いずれか一側のみに母音文字が割り当てられることを特徴とする請求項３１に記載の文字入力装置。
【請求項３９】
各入力部の前記第２方向入力は、２段以上の多段入力の遂行が可能に設けられて、各入力部の前記第２方向入力によって文字を入力し、各入力部の前記第１方向入力によって前記マウスポインタ移動、方向指示、機能命令、またはモード変更を遂行することを特徴とする請求項３１に記載の文字入力装置。
【請求項４０】
前記入力部の上段に各第２方向指示位置に対応してボタン形状の突起部が形成されたことを特徴とする請求項１に記載の文字入力装置。
【請求項４１】
外部機器と有線または無線のうち、１つ以上の方法により接続可能に設けられて、前記制御部から抽出されたデータを前記外部機器へ送受信する送受信部をさらに含むことを特徴とする請求項１に記載の文字入力装置。
【請求項４２】
前記入力部は、前記第１方向入力または前記第２方向入力を遂行した後に自動で前記基準位置に戻るリターン機能を有することを特徴とする請求項１に記載の文字入力装置。
【請求項４３】
前記第１方向入力、及び前記第２方向入力のうち、いずれか１つは４個の方向指示位置をもって２段入力可能に設けられ、各方向指示位置には母音文字が割り当てられることを特徴とする請求項１乃至７のうち、いずれか１項に記載の文字入力装置。
【請求項４４】
前記ベースまたは前記入力部のうちのいずれか１つには、各第１方向指示位置に対応して各第１方向指示位置に割り当てられた第１文字が表示された第１文字表示部と、
各第２方向指示位置に対応して各第２方向指示位置に割り当てられた前記第２文字が表示された第２文字表示部が設けられることを特徴とする請求項１または２に記載の文字入力装置。
【請求項４５】
前記第１文字表示部及び前記第２文字表示部は、２つ以上の文字が重複して割り当てられた場合、入力モードによって入力される文字が変更されて表示されることを特徴とする請求項４４に記載の文字入力装置。
【請求項４６】
前記第１方向入力、及び前記第２方向入力のうち、いずれか１つが先に遂行された状態で、引続き他の１つが遂行される際、前記入力動作に割り当てられた第３文字が入力される方向組み合せ入力が遂行可能に設けられることを特徴とする請求項１に記載の文字入力装置。
【請求項４７】
前記方向組み合せ入力は、組み合せられる前記第１方向入力及び前記第２方向入力の順序に従い各々互いに異なる文字が入力されることを特徴とする請求項４６に記載の文字入力装置。
【請求項４８】
前記入力部の中央に突出されて、前記第１方向入力または前記第２方向入力遂行の際、前記入力部の操作を円滑にするための突出部をさらに含むことを特徴とする請求項１に記載の文字入力装置。
【請求項４９】
前記突出部に一端が挿入される操作棒をさらに含み、
前記突出部には前記操作棒が挿入される結合部が設けられることを特徴とする請求項４８に記載の文字入力装置。
【請求項５０】
前記入力部は、指の把持及び操作が容易であるように上段の縁部に１つ以上の突起部が設けられることを特徴とする請求項１に記載の文字入力装置。
【請求項５１】
前記第１感知部及び前記第２感知部は、前記入力領域に亘って設けられ、一側に前記基準位置感知部が配置されたタッチパッドまたはタッチスクリーンのうち、いずれか１つに設けられ、
前記入力部は、前記基準入力感知部に接触される支持部をさらに含んで、文字入力の際、前記入力部が前記入力領域に設置され前記第１方向入力及び第２方向入力が遂行されることを特徴とする請求項１に記載の文字入力装置。
【請求項５２】
前記入力部を前記入力領域が設けられた前記ベースに連結する連結部材がさらに設けられることを特徴とする請求項５１に記載の文字入力装置。
【請求項５３】
前記連結部材は、
帯状を有する本体と、前記本体に設けられ、前記入力部が第１方向入力及び前記第２方向入力が遂行可能に収容される収容部と、前記本体の両端部に設けられて、前記ベースに滑動可能に結合される移動支持部を含む連結部材をさらに含むことを特徴とする請求項５２に記載の文字入力装置。
【請求項５４】
前記連結部材は、
本体と、前記本体に設けられ、前記入力部が前記第１方向入力及び前記第２方向入力が遂行可能に収容される収容部と、前記本体が前記ベースに対して回動されることによって、前記入力部が前記入力領域に設置されるようにするヒンジ部を含むことを特徴とする請求項５２に記載の文字入力装置。
【請求項５５】
前記第１感知部及び前記第２感知部はタッチスクリーンとして設けられ、
前記タッチスクリーンには前記基準位置を中心として前記入力部の外部に各第１方向指示位置に割り当てられた文字が表示される第１キー表示部、または各第２方向指示位置に割り当てられた文字が表示される第２キー表示部のうち、１つ以上が表示されることを特徴とする請求項５１に記載の文字入力装置。
【請求項５６】
前記第２感知部及び前記第２文字表示部は、前記第１方向入力の際、前記入力部に沿って移動して前記第１方向入力が遂行された状態で、引続き前記第２方向入力が遂行可能に設けられることを特徴とする請求項１、５１、または、５５のうち、いずれか１項に記載の文字入力装置。
【請求項５７】
前記入力部に隣接した前記ベースの一側には使用者の入力動作に従う入力内容、または選択された入力モードで割り当てられた文字が表示される文字表示部がさらに設けられることを特徴とする請求項１または３１に記載の文字入力装置。
【請求項５８】
ベースと、
前記ベースに設けられた２つの入力部−各入力部は、各基準位置から放射状に離隔配置された４個の第１方向指示位置のうち、いずれか１つに前記入力部を移動させることにより遂行される第１方向入力と、前記入力部自体に放射状に離隔配置された４個の第２方向指示位置のうち、いずれか１つを選択することにより遂行される第２方向入力が各々２段以上の多段で遂行可能に設けられる−と、
前記第１方向入力を感知する第１感知部と、
前記第２方向入力を感知する第２感知部と、
前記入力部の移動が感知された前記第１方向指示位置に割り当てられた第１文字、及び前記第２方向入力が感知された前記第２方向指示位置に割り当てられた第２文字をメモリ部から抽出する制御部と、
を含むことを特徴とする文字入力装置。
【請求項５９】
ベースと、
前記ベースに設けられた２つの入力部−各入力部は、各基準位置から放射状に離隔配置された８個の第１方向指示位置のうち、いずれか１つに前記入力部を移動させることにより遂行される第１方向入力と、前記入力部自体に放射状に離隔配置された４個の第２方向指示位置のうち、いずれか１つを選択することにより遂行される第２方向入力が遂行可能に設けられる−と、
前記第１方向入力を感知する第１感知部と、
前記第２方向入力を感知する第２感知部と、
前記入力部の移動が感知された前記第１方向指示位置に割り当てられた第１文字、及び前記第２方向入力が感知された前記第２方向指示位置に割り当てられた第２文字をメモリ部から抽出する制御部と、
を含むことを特徴とする文字入力装置。
【請求項６０】
ベースと、
前記ベースに設けられた２つの入力部−各入力部は、各基準位置から放射状に離隔配置された４個の第１方向指示位置のうち、いずれか１つに前記入力部を移動させることにより遂行される第１方向入力と、前記入力部自体に放射状に離隔配置された８個の第２方向指示位置のうち、いずれか１つを選択することにより遂行される第２方向入力が遂行可能に設けられる−と、
前記第１方向入力を感知する第１感知部と、
前記第２方向入力を感知する第２感知部と、
前記入力部の移動が感知された前記第１方向指示位置に割り当てられた第１文字、及び前記第２方向入力が感知された前記第２方向指示位置に割り当てられた第２文字をメモリ部から抽出する制御部と、
を含むことを特徴とする文字入力装置。
【請求項６１】
前記第１方向入力、及び前記第２方向入力のうち、１つ以上は２段以上の多段入力が遂行可能に設けられることを特徴とする請求項５９または６０に記載の文字入力装置。
【請求項６２】
ベースと、
前記ベースに設けられた２つの入力部−各入力部は、各基準位置から放射状に離隔配置された８個の第１方向指示位置のうち、いずれか１つに前記入力部を移動させることにより遂行される第１方向入力と、前記入力部自体に放射状に離隔配置された８個の第２方向指示位置のうち、いずれか１つを選択することにより遂行される第２方向入力が各々独立的に遂行可能に設けられる−と、
前記第１方向入力を感知する第１感知部と、
前記第２方向入力を感知する第２感知部と、
前記入力部の移動が感知された前記第１方向指示位置に割り当てられた第１文字、及び前記第２方向入力が感知された前記第２方向指示位置に割り当てられた第２文字をメモリ部から抽出する制御部と、
を含むことを特徴とする文字入力装置。
【請求項６３】
前記第１方向入力、及び前記第２方向入力のうちの１つ以上は、２段以上の多段入力が遂行可能に設けられることを特徴とする請求項６２に記載の文字入力装置。
【請求項６４】
ベースと、
前記ベースに設けられた入力部−前記入力部は、所定の入力領域内で基準位置から放射状に離隔配置された複数の第１方向指示位置のうち、いずれか１つに前記入力部を滑動させることにより遂行される第１方向入力と、前記入力部自体に放射状に離隔配置される複数の第２方向指示位置に対応して前記入力部に設けられた押圧部のうち、いずれか１つを選択することにより遂行される第２方向入力が各々独立的に遂行可能に設けられる−と、
前記入力部の移動を感知する第１感知部と、
前記押圧部の選択を感知する第２感知部と、
前記第１感知部及び第２感知部の感知結果に基づいて、該当第１方向指示位置に割り当てられた第１文字、及び該当第２方向指示位置に割り当てられた第２文字をメモリ部から抽出して入力する制御部と、
を含むことを特徴とする文字入力装置。
【請求項６５】
ベースと、
前記ベースに設けられた入力部−前記入力部は、所定の入力領域内で基準位置から放射状に離隔配置された複数の第１方向指示位置のうち、いずれか１つに前記入力部を滑動させることにより遂行される第１方向入力と、前記入力部自体に放射状に離隔配置される複数の第２方向指示位置のうち、いずれか１つに向かって前記入力部を傾斜させることにより遂行される第２方向入力が各々独立的に遂行可能に設けられる−と、
前記入力部の移動を感知する第１感知部と、
前記入力部の傾けを感知する第２感知部と、
前記第１感知部及び第２感知部の感知結果に基づいて、該当第１方向指示位置に割り当てられた第１文字、及び該当第２方向指示位置に割り当てられた第２文字をメモリ部から抽出して入力する制御部と、
を含むことを特徴とする文字入力装置。
【請求項６６】
ベースと、
前記ベースに設けられた入力部−前記入力部は、所定の入力領域内で基準位置から放射状に離隔配置された複数の第１方向指示位置のうち、いずれか１つに滑動させることにより遂行される第１方向入力と、前記入力部自体に放射状に離隔配置される複数の第２方向指示位置のうち、いずれか１つに向かって前記入力部全体を傾け移動させることにより遂行される第２方向入力が各々独立的に遂行可能に設けられる−と、
前記入力部とベースとの間に設けられて、前記入力部と同時に滑動し、前記入力部の傾け移動を支持する支持部と、
前記入力部の移動を感知する第１感知部と、
前記入力部の傾け移動を感知する第２感知部と、
前記第１感知部及び第２感知部の感知結果に基づいて、該当第１方向指示位置に割り当てられた第１文字、及び該当第２方向指示位置に割り当てられた第２文字をメモリ部から抽出して入力する制御部と、
を含むことを特徴とする文字入力装置。
【請求項６７】
ベースと、
前記ベースに設けられた入力部−前記入力部は、基準位置から放射状に離隔配置された複数の第１方向指示位置のうち、いずれか１つに前記入力部全体の傾け移動が遂行される第１方向入力と、前記入力部自体に放射状に離隔配置される複数の第２方向指示位置のうち、いずれか１つに向かって前記入力部を傾斜させることにより遂行される第２方向入力が各々独立的に遂行可能に設けられる−と、
前記ベースと入力部との間に設けられて、前記入力部の傾け移動を支持する支持部と、
前記入力部の移動を感知する第１感知部と、
前記入力部の傾けを感知する第２感知部と、
前記第１感知部及び第２感知部の感知結果に基づいて、該当第１方向指示位置に割り当てられた第１文字、及び該当第２方向指示位置に割り当てられた第２文字をメモリ部から抽出して入力する制御部と、
を含むことを特徴とする文字入力装置。
【請求項６８】
前記第１方向入力、及び前記第２方向入力のうちの１つ以上は、２段以上の多段入力が遂行可能に設けられることを特徴とする請求項６５乃至６７のうち、いずれか１項に記載の文字入力装置。
【請求項６９】
ベースと、
前記ベースに設けられた入力部−前記入力部は、所定の入力領域内で基準位置から放射状に離隔配置された複数の第１方向指示位置のうち、いずれか１つに前記入力部を移動させることにより遂行される第１方向入力と、前記入力部自体に放射状に離隔配置される複数の第２方向指示位置のうち、いずれか１つを選択することにより遂行される第２方向入力が前記入力部の上部に一つの指を当てた状態で各々独立的に遂行可能に設けられる−と、
前記入力部の移動を感知する第１感知部と、
前記第２方向入力を感知する第２感知部と、
前記入力部の移動が感知された前記第１方向指示位置に割り当てられた第１文字、及び前記第２方向入力が感知された前記第２方向指示位置に割り当てられた第２文字をメモリ部から抽出して実行する制御部と、
を含むことを特徴とする入力装置。
【請求項７０】
マウス入力モードの場合、前記第１方向入力によってはマウスポインタの移動が遂行され、前記第２方向入力または前記中央入力のうち、１つ以上の方法によってマウス左／右ボタンまたはスクロール操作が遂行されることを特徴とする請求項６９に記載の入力装置。
【請求項７１】
ベースと、
前記ベースに設けられて、所定の入力領域内で基準位置から放射状に離隔配置された複数の第１方向指示位置のうち、いずれか１つに前記入力部を移動させることにより遂行される第１方向入力と、前記入力部自体に放射状に離隔配置される複数の第２方向指示位置のうち、いずれか１つを選択することにより遂行される第２方向入力が各々独立的に遂行される入力部と、
前記入力部の移動を感知する第１感知部と、
前記第２方向入力を感知する第２感知部と、
前記入力部の移動が感知された前記第１方向指示位置に割り当てられた第１文字、前記第２方向入力が感知された前記第２方向指示位置に割り当てられた第２文字をメモリ部から抽出して実行する制御部とを含み、かつ、
前記入力部は、前記入力部の中央に設けられた中央入力キーの選択、または前記入力部が前記ベースに対しての上昇及び下降のうち、１つ以上の方法により中央入力が遂行可能に設けられて、前記中央入力が前記第１方向入力、及び前記第２方向入力のうち、いずれか１つと同時に遂行される中央組み合せ入力により、各方向指示位置に本来割り当てられた文字とは異なる新たなデータが入力されることを特徴とする入力装置。
【請求項７２】
ベースと、
前記ベースに設けられた入力部−前記入力部は、所定の入力領域内で基準位置から放射状に離隔配置された複数の第１方向指示位置のうち、いずれか１つに前記入力部を移動させることにより遂行される第１方向入力と、前記入力部自体に放射状に離隔配置される複数の第２方向指示位置のうち、いずれか１つを選択することにより遂行される第２方向入力と、前記第１方向入力、及び前記第２方向入力のうち、いずれか１つが先に遂行された状態で、引続き他の１つが遂行される方向組み合せ入力が各々独立的に遂行可能に設けられる−と、
前記入力部の移動を感知する第１感知部と、
前記第２方向入力を感知する第２感知部と、
前記入力部の移動が感知された前記第１方向指示位置に割り当てられた第１文字、前記第２方向入力が感知された前記第２方向指示位置に割り当てられた第２文字、または前記方向組み合せ入力に割り当てられた第３文字をメモリ部から抽出して実行する制御部と、
を含むことを特徴とする入力装置。
【請求項７３】
ベースと、
前記ベースに設けられた入力部−前記入力部は、所定の入力領域内で基準位置から放射状に離隔配置された複数の第１方向指示位置のうち、いずれか１つに前記入力部を移動させることにより遂行される第１方向入力と、前記入力部自体に放射状に離隔配置される複数の第２方向指示位置のうちのいずれか１つを選択することにより遂行される第２方向入力のうち、１つ以上が２段以上の多段入力で遂行可能に設けられる−と、
前記入力部の移動を感知する第１感知部と、
前記第２方向入力を感知する第２感知部と、
前記入力部の移動が感知された前記第１方向指示位置に割り当てられた第１文字、及び前記第２方向入力が感知された前記第２方向指示位置に割り当てられた第２文字をメモリ部から抽出して実行する制御部と、
を含むことを特徴とする入力装置。
【請求項７４】
ベースと、
前記ベースに設けられた２つの入力部−各入力部は、所定の入力領域内で基準位置から放射状に離隔配置された複数の第１方向指示位置のうち、いずれか１つに前記入力部を移動させることにより遂行される第１方向入力と、前記入力部自体に放射状に離隔配置される複数の第２方向指示位置のうち、いずれか１つを選択することにより遂行される第２方向入力が各々独立的に遂行可能に設けられる−と、
前記入力部の移動を感知する第１感知部と、
前記第２方向入力を感知する第２感知部と、
前記入力部の移動が感知された前記第１方向指示位置に割り当てられた第１文字、及び前記第２方向入力が感知された前記第２方向指示位置に割り当てられた第２文字をメモリ部から抽出して実行する制御部と、
を含むことを特徴とする入力装置。
【請求項７５】
ベースと、
前記ベースに設けられた入力部−前記入力部は、所定の入力領域内で基準位置から放射状に離隔配置された複数の第１方向指示位置のうち、いずれか１つに前記入力部を移動させることにより遂行される第１方向入力と、前記入力部自体に放射状に離隔配置される複数の第２方向指示位置のうち、いずれか１つを選択することにより遂行される第２方向入力が各々独立的に遂行可能に設けられる−と、
前記入力部の移動をガイドするガイド部と、
前記入力部の移動を感知する第１感知部と、
前記第２方向入力を感知する第２感知部と、
前記入力部の移動が感知された前記第１方向指示位置に割り当てられた第１文字、及び前記第２方向入力が感知された前記第２方向指示位置に割り当てられた第２文字をメモリ部から抽出して実行する制御部と、
を含むことを特徴とする入力装置。
【請求項７６】
所定の入力領域内で基準位置を中心として放射状に離隔配置された複数の第１方向指示位置のうち、いずれか１つに前記入力部を移動させることにより遂行される第１方向入力と、前記入力装置自体に放射状に離隔配置される複数の第２方向指示位置のうち、いずれか１つを選択することにより遂行される第２方向入力が各々独立的に遂行可能に設けられた入力部を有する文字入力装置の文字入力方法であって、
各第１方向指示位置に第１文字が、第２方向指示位置毎に第２文字が区分割り当てられた文字セットがメモリ部に格納されるステップと、
前記第１方向入力及び第２方向入力を感知するステップと、
前記感知信号に基づいて、前記文字セットから該当方向指示位置に対応する第１文字または第２文字を抽出するステップと、
抽出された前記第１文字または前記第２文字の入力を処理するステップと、
を含むことを特徴とする文字入力方法。
【発明の詳細な説明】
【技術分野】
【０００１】
本発明は、文字入力装置及びその方法に関し、特に、第１方向入力と第２方向入力が１つの入力部で同時にまたは順次に遂行されるようにすることで、最小限の入力空間で１動作により入力可能な文字の数を極大化できると共に、１動作で１音素以上を迅速で、かつ正確に入力できる文字入力装置及びその方法に関する。
【背景技術】
【０００２】
最近、ソフトウェアと半導体技術及び情報処理技術が発達するにつれて、情報機器が徐々に小型化する趨勢であり、これに比例して各種情報機器における文字入力もその重要度が日増しに大きくなっている。
【０００３】
ところが、このような情報機器において、各種文字や命令語の入力に多くの問題点が表れている。
【０００４】
例えば、ＰＣ（Personal Computer）またはノートブック（Note Book）に使われるキーボードのような入力装置は、サイズを縮めることに限界があるので、これらの情報機器を小型化することに困難性がある。
【０００５】
また、ＰＤＡ（Personal Data Assistant）で使用するタッチスクリーン方式や携帯電話で使用するキーパッド方式は、入力速度がのろくて、誤って入力される場合が多いので不便な点がある。
【０００６】
前述したＰＣ、ノートブック、ＰＤＡ、または携帯電話などの情報機器において、より速い速度で、文字、数字、または記号などを入力するためには、１回の入力動作に１つの音素（文字）が入力される、いわゆる１動作１音素入力がなされる必要がある。
【０００７】
このような１動作１音素入力がハングルを対象にする場合には、２４個以上の文字を入力するためのボタンや入力キーが情報機器に配列される必要がある。
【０００８】
入力の対象となる言語が英語や日本語またはその他の外国語である場合には、ハングルの場合より多くのボタンや入力キーを増設しなければならないかもしれない。
【０００９】
また、ポータブル端末機において、徐々にデスクトップＰＣの性能を具現し出すことによって、ポータブル端末機でも文字入力の他にも各種命令キー（エンター、スペース、シフトキー等）、 記号など、キーボード字板の全ての入力機能が遂行できなければならない状況に至っている。
【００１０】
しかしながら、各種情報機器で使用する従来の入力装置は、それぞれの入力キーに文字を割り当てて、指で叩いたり押さえて入力する方式である。
【００１１】
したがって、入力キーの配列空間が相対的に狭い携帯電話のような個人携帯用情報端末機には指サイズの入力キーを２４個以上配列することが困難な実状である。その点が今までキーボードが小型化され難い理由であった。
【００１２】
特に、携帯電話の場合には、通常１２個のボタンで２４字以上のハングル文字を全て入力していると１つのボタンに多数個の文字を重複配列することが不回避である。
【００１３】
したがって、１つの文字（音素）を入力するために２回、３回、繰り返して入力する反復入力現象がよく発生することになるので、それだけ入力が長くなり、入力誤りがよく発生する問題があった。
【００１４】
また、入力方法自体が非常に複雑になり、習熟することに長い時間がかかる等の問題があった。
【００１５】
このような問題を解消するために、ハングル文字入力の場合、‘天地人’のように、所定の文字を組み合せて入力する文字入力方式が提案されたところがある。
【００１６】
しかしながら、前述した方法の場合、基本となる文字を組み合せて希望する文字を生成するので、文字を割り当てるための入力ボタンの数を縮めることができるという長所はあるが、希望する文字が組み合せられるまで入力ボタンを繰り返して押さなければならないので、それだけ入力時間が長くなる問題があった。
【００１７】
また、くるくる巻いて携帯できるキーボードやキーボードの字板のイメージを底に映写し、その上で指でキーボードを入力するような動作を行うと、指の位置を感知して入力がなされる仮想レーザーキーコードなどの技術も提案されたところがある。
【００１８】
しかしながら、このような種類の入力装置は常に携帯しなければならない不便性があり、底に置かれた状態のみで入力が可能であるので、移動中に手で持って入力する必要がある個人携帯用情報端末機への適用が適しないという問題点があった。
【発明の概要】
【発明が解決しようとする課題】
【００１９】
本発明の目的は、第１方向入力と第２方向入力が各々または組み合せられて遂行される新たな入力部を設けることによって、文字などの入力のために必要とされる空間を最小化し、かつ希望する全ての文字を１回の入力動作により、迅速で、かつ正確に入力すると共に、多段入力機能と両揃構成などにより所定の空間で配列可能な字板の数を最大化して、デスクトップＰＣで使われるキーボード字板の全ての入力機能とマウスの入力機能をポータブル端末機でも、迅速で、かつ便利に遂行することができる文字入力装置を提供することにある。
【００２０】
また、第１方向入力及び第２方向入力に加えて、多様な入力方式を追加したり、これらを組み合せることにより、１回の入力動作により１以上の音素が入力できる文字入力装置及びその方法を提供することにある。
【課題を解決するための手段】
【００２１】
上記の目的を達成するための本発明に係る文字入力装置１は、ベース１１０と、ベース１１０に設けられた入力部１０と−入力部１０は、所定の入力領域１１１内で基準位置（Ｓ）から基準位置（Ｓ）を中心として放射状に離隔配置された複数の第１方向指示位置（Ｍ１，Ｍ２，．．．）のうち、いずれか１つに入力部を移動させることにより遂行される第１方向入力（Ｍ）と、入力部１０の自体に放射状に離隔配置される複数の第２方向指示位置（Ｐ１，Ｐ２，．．．）のうち、いずれか１つを選択することにより遂行される第２方向入力（Ｐ）が各々独立的に遂行可能に設けられる−と、入力部１０の移動を感知する第１感知部６１と、第２方向入力（Ｐ）を感知する第２感知部６３と、入力部１０の移動が感知された第１方向指示位置（Ｍ１，Ｍ２，．．．）に割り当てられた第１文字、及び第２方向入力（Ｐ）が感知された第２方向指示位置（Ｐ１，Ｐ２，．．．）に割り当てられた第２文字をメモリ部５５から抽出して実行する制御部５１とを含む。
【００２２】
第１方向入力（Ｍ）は、入力部１０を基準位置（Ｓ）から第１方向指示位置（Ｍ１，Ｍ２，．．．）に向かって滑動移動させるか、入力部１０を第１方向指示位置（Ｍ１，Ｍ２，．．．）のうち、いずれか１つに向かって傾けて遂行することができる。
【００２３】
第２方向入力（Ｐ）は、入力部１０を第２方向指示位置（Ｐ１，Ｐ２，．．．）のうち、いずれか１つに向かって傾けて遂行したり、入力部１０に各第２方向指示位置（Ｐ１，Ｐ２，．．．）対応して設けられた押圧部１１を選択することにより遂行されることができる。
【００２４】
ここで、第１方向入力（Ｍ）または第２方向入力（Ｐ）のうちの１つ以上は、２段以上の多段入力可能に設けられることができる。
【００２５】
入力部１０は、入力部１０の中央に設けられた中央入力キー１３を選択したり、入力部１０の全体をベース１１０に対して上下に移動させて、中央入力（Ｃ）を遂行することができ、中央入力（Ｃ）も２段以上の多段入力可能に設けられることができる。
【００２６】
一方、第１方向入力（Ｍ）または第２方向入力（Ｐ）のうちのいずれか１つと中央入力（Ｃ）を組み合せて本来の各方向指示位置に割り当てられた文字とは異なり、上記入力動作に割り当てられた新たなデータを入力する中央組み合せ入力（ＣＭ，ＣＰ）が遂行可能に設けられることができる。
【００２７】
または、第１方向入力（Ｍ）または第２方向入力（Ｐ）のうち、いずれか１つが先に遂行された状態で、他の１つを遂行することによって、新たなデータを入力する方向組み合せ入力（ＭＰ，ＰＭ）が遂行可能に設けられることができる。
【００２８】
一方、前述した各例において、入力部１０をベース１１０に２つ以上設けることによって、両揃で入力することができる。
【００２９】
文字入力装置１は、外部機器に直接装着されて使われることができるが、外部機器とのデータを送受信する送受信部（図示せず）を設けることによって、着脱可能に設けられることもできる。
【００３０】
または、上記の目的を達成するための本発明に係る文字入力装置１は、ベース１１０と、ベース１１０に設けられた２つの入力部１０−各入力部１０は、各基準位置（Ｓ）から基準位置（Ｓ）を中心として放射状に離隔配置された４個の第１方向指示位置（Ｍ１，Ｍ２，．．．）のうち、いずれか１つに入力部を移動させることにより遂行される第１方向入力（Ｍ）と、入力部１０自体に放射状に離隔配置された４個の第２方向指示位置（Ｐ１，Ｐ２，．．．）のうち、いずれか１つを選択することにより遂行される第２方向入力（Ｐ）が各々２段以上の多段で遂行可能に設けられる−と、第１方向入力（Ｍ）を感知する第１感知部６１と、第２方向入力（Ｐ）を感知する第２感知部６３と、入力部１０の移動が感知された第１方向指示位置（Ｍ１，Ｍ２，．．．）に割り当てられた第１文字、及び第２方向入力（Ｐ）が感知された第２方向指示位置（Ｐ１，Ｐ２，．．．）に割り当てられた第２文字をメモリ部５５から抽出する制御部５１と、を含むことができる。
【００３１】
または、上記の目的を達成するための本発明に係る文字入力装置１は、ベース１１０と、ベース１１０に設けられた２つの入力部１０−各入力部１０は、各基準位置（Ｓ）から基準位置（Ｓ）を中心として放射状に離隔配置された８個の第１方向指示位置（Ｍ１，Ｍ２，．．．）のうち、いずれか１つに入力部を移動させることにより遂行される第１方向入力（Ｍ）と、入力部１０自体に放射状に離隔配置された４個の第２方向指示位置（Ｐ１，Ｐ２，．．．）のうち、いずれか１つを選択することにより遂行される第２方向入力（Ｐ）が遂行可能に設けられる−と、第１方向入力（Ｍ）を感知する第１感知部６１と、第２方向入力（Ｐ）を感知する第２感知部６３と、入力部１０の移動が感知された第１方向指示位置（Ｍ１，Ｍ２，．．．）に割り当てられた第１文字、及び第２方向入力（Ｐ）が感知された第２方向指示位置（Ｐ１，Ｐ２，．．．）に割り当てられた第２文字をメモリ部５５から抽出する制御部５１と、を含むことができる。
【００３２】
または、上記の目的を達成するための本発明に係る文字入力装置１は、ベース１１０と、ベース１１０に設けられた２つの入力部１０−各入力部１０は、各基準位置（Ｓ）から基準位置（Ｓ）を中心として放射状に離隔配置された４個の第１方向指示位置（Ｍ１，Ｍ２，．．．）のうち、いずれか１つに入力部を移動させることにより遂行される第１方向入力（Ｍ）と、入力部１０自体に放射状に離隔配置された８個の第２方向指示位置（Ｐ１，Ｐ２，．．．）のうち、いずれか１つを選択することにより遂行される第２方向入力（Ｐ）が遂行可能に設けられる−と、第１方向入力（Ｍ）を感知する第１感知部６１と、第２方向入力（Ｐ）を感知する第２感知部６３と、入力部１０の移動が感知された第１方向指示位置（Ｍ１，Ｍ２，．．．）に割り当てられた第１文字、及び上記第２方向入力（Ｐ）が感知された第２方向指示位置（Ｐ１，Ｐ２，．．．）に割り当てられた第２文字をメモリ部５５から抽出する制御部５１と、を含むことができる。
【００３３】
ここで、第１方向入力（Ｍ）または第２方向入力（Ｐ）のうち、１つ以上は２段以上の多段入力が遂行可能に設けられることができる。
【００３４】
または、上記の目的を達成するための本発明に係る文字入力装置１は、ベース１１０と、ベース１１０に設けられた入力部１０−入力部１０は、所定の入力領域１１１内で基準位置（Ｓ）から基準位置（Ｓ）を中心として放射状に離隔配置された複数の第１方向指示位置（Ｍ１，Ｍ２，．．．）のうち、いずれか１つに滑動される第１方向入力（Ｍ）と、入力部１０自体に放射状に離隔配置される複数の第２方向指示位置（Ｐ１，Ｐ２，．．．）に対応して入力部１０に設けられた押圧部１１のうち、いずれか１つを選択することにより遂行される第２方向入力（Ｐ）が各々独立的に遂行可能に設けられる−と、入力部１０の移動を感知する第１感知部６１と、押圧部１１の選択を感知する第２感知部６３と、第１感知部６１及び第２感知部６３の感知結果に基づいて、該当第１方向指示位置（Ｍ１，Ｍ２，．．．）に割り当てられた第１文字、及び該当第２方向指示位置（Ｐ１，Ｐ２，．．．）に割り当てられた第２文字をメモリ部５５から抽出して入力する制御部５１と、を含むことができる。
【００３５】
または、上記の目的を達成するための本発明に係る文字入力装置１は、ベース１１０と、ベース１１０に設けられた入力部１０−入力部１０は、所定の入力領域１１１内で基準位置（Ｓ）から基準位置（Ｓ）を中心として放射状に離隔配置された複数の第１方向指示位置（Ｍ１，Ｍ２，．．．）のうち、いずれか１つに滑動される第１方向入力（Ｍ）と、入力部１０自体に放射状に離隔配置される複数の第２方向指示位置（Ｐ１，Ｐ２，．．．）のうち、いずれか１つに向かって傾く第２方向入力（Ｐ）が各々独立的に遂行可能に設けられる−と、入力部１０の移動を感知する第１感知部６１と、入力部１０の傾けを感知する第２感知部６３と、第１感知部６１及び第２感知部６３の感知結果に基づいて、該当第１方向指示位置（Ｍ１，Ｍ２，．．．）に割り当てられた第１文字、及び該当第２方向指示位置（Ｐ１，Ｐ２，．．．）に割り当てられた第２文字をメモリ部５５から抽出して入力する制御部５１と、を含むことができる。
【００３６】
または、上記の目的を達成するための本発明に係る文字入力装置１は、ベース１１０と、ベース１１０に設けられた入力部１０−入力部１０は、所定の入力領域１１１内で基準位置（Ｓ）から基準位置（Ｓ）を中心として放射状に離隔配置された複数の第１方向指示位置（Ｍ１，Ｍ２，．．．）のうち、いずれか１つに滑動される第１方向入力（Ｍ）と、入力部１０自体に放射状に離隔配置される複数の第２方向指示位置（Ｐ１，Ｐ２，．．．）のうち、いずれか１つに向かって入力部１０の全体が傾け移動される第２方向入力（Ｐ）が各々独立的に遂行可能に設けられる−と、入力部１０とベース１１０との間に設けられて入力部１０と同時に滑動され、入力部１０の傾け移動を支持する支持部２５と、入力部１０の移動を感知する第１感知部６１と、入力部１０の傾け移動を感知する第２感知部６３と、第１感知部６１及び第２感知部６３の感知結果に基づいて、該当第１方向指示位置（Ｍ１，Ｍ２，．．．）に割り当てられた第１文字、及び該当第２方向指示位置（Ｐ１，Ｐ２，．．．）に割り当てられた第２文字をメモリ部５５から抽出して入力する制御部５１と、を含むことができる。
【００３７】
または、上記の目的を達成するための本発明に係る文字入力装置１は、ベース１１０と、ベース１１０に設けられた入力部１０−入力部１０は、基準位置（Ｓ）から基準位置（Ｓ）を中心として放射状に離隔配置された複数の第１方向指示位置（Ｍ１，Ｍ２，．．．）のうち、いずれか１つに入力部１０の全体が傾く傾け移動が遂行される第１方向入力（Ｍ）と、入力部１０自体に放射状に離隔配置される複数の第２方向指示位置（Ｐ１，Ｐ２，．．．）のうち、いずれか１つに向かって傾く第２方向入力（Ｐ）が各々独立的に遂行可能に設けられる−と、ベース１１０と入力部１０との間に設けられて入力部１０の傾け移動を支持する支持部２５と、入力部１０の移動を感知する第１感知部６１と、入力部１０の傾けを感知する第２感知部６３と、第１感知部６１及び第２感知部６３の感知結果に基づいて、該当第１方向指示位置（Ｍ１，Ｍ２，．．．）に割り当てられた第１文字、及び該当第２方向指示位置（Ｐ１，Ｐ２，．．．）に割り当てられた第２文字をメモリ部５５から抽出して入力する制御部５１と、を含むことができる。
【００３８】
一方、上記の目的は、本発明に従って、所定の入力領域内で基準位置を中心として放射状に離隔配置された複数の第１方向指示位置（Ｍ１，Ｍ２，．．．）のうち、いずれか１つに入力部を移動させることにより遂行される第１方向入力（Ｍ）と、自体に放射状に離隔配置される複数の第２方向指示位置（Ｐ１，Ｐ２，．．．）のうち、いずれか１つを選択することにより遂行される第２方向入力（Ｐ）が各々独立的に遂行可能に設けられた入力部１０を有する文字入力装置の文字入力方法であって、上記各第１方向指示位置（Ｍ１，Ｍ２，．．．）毎に第１文字が、上記第２方向指示位置（Ｐ１，Ｐ２，．．．）毎に第２文字が各々区分割り当てられた文字セットがメモリ部５５に格納されるステップ（Ｓ１）と、上記第１方向入力（Ｍ）または第２方向入力（Ｐ）を感知するステップ（Ｓ２）と、上記感知信号に基づいて上記文字セットで該当方向指示位置に対応する第１文字または第２文字を抽出するステップ（Ｓ３）と、抽出された上記第１文字または第２文字の入力を処理するステップ（Ｓ４）と、を含む文字入力方法によっても達成できる。
【図面の簡単な説明】
【００３９】
【図１】本発明に係る文字入力装置の構成ブロック図である。
【図２】本発明に係る文字入力装置が装着されたポータブル移動通信端末機の斜視図である。
【図３】本発明の一実施形態に従う文字入力装置の断面斜視図である。
【図４】本発明の一実施形態に従う入力部において、第１方向入力、第２方向入力、及び中央入力時の各入力動作を示す作動図である。
【図５】本発明の入力部の半径方向移動及び円周方向移動を示す作動図である。
【図６】本発明の一実施形態に従う文字入力装置の部分断面斜視図である。
【図７】図６に図示された文字入力装置の要部断面図である。
【図８】本発明の他の実施形態に従う入力部の斜視図である。
【図９】本発明の一実施形態に従う入力部及びガイド部を示す平面図である。
【図１０】本発明の多様な実施形態に従う入力部の斜視図及び断面図である。
【図１１】本発明の多様な実施形態に従う入力部の斜視図である。
【図１２】本発明の中央組み合せ入力を説明するための概念図である。
【図１３】本発明の方向組み合せ入力を説明するための概念図及び入力部の平面図である。
【図１４】本発明の方向回転入力を説明するための支持部の平面図である。
【図１５】本発明に従う文字入力装置において、各入力動作に割り当てられた各国文字配列の一実施形態を示す表である。
【図１６】本発明の多様な実施形態に従う文字入力装置の要部図である。
【図１７】本発明の多様な実施形態に従う文字入力装置の要部図である。
【図１８】本発明の多様な実施形態に従う文字入力装置の要部図である。
【図１９】本発明の入力部が左右２揃で設けられたポータブル端末機の斜視図である。
【図２０】本発明の文字入力装置がポータブル端末機に着脱される状態を示す分離斜視図である。
【図２１】本発明の入力部が２揃で設けられる時の各入力動作の多様な組み合せ例を示す概念図である。
【図２２】本発明の入力部が２揃で設けられる時の各入力動作の多様な組み合せ例を示す概念図である。
【図２３】本発明の入力部及び弾性部材を示す要部図である。
【図２４】本発明の入力部の周囲に回転ホイールが設けられたことを示す平面図である。
【図２５】本発明の一実施形態に従う文字入力装置において、入力部を通じた文字入力例を示す使用状態図である。
【図２６】本発明の多様な実施形態に従う入力部とベースとの結合関係を示す作動図である。
【図２７】本発明の多様な実施形態に従う入力部とベースとの結合関係を示す作動図である。
【図２８】本発明の多様な実施形態に従う入力部とベースとの結合関係を示す作動図である。
【図２９】本発明の多様な実施形態に従う字板表示部を示す平面図である。
【図３０】本発明の多様な実施形態に従う字板表示部を示す平面図である。
【図３１】本発明の多様な実施形態に従う字板表示部を示す平面図である。
【図３２】本発明の多様な実施形態に従う字板表示部を示す平面図である。
【図３３】本発明の多様な実施形態に従う字板表示部を示す平面図である。
【図３４】本発明に従う文字入力方法のフローチャートである。
【発明を実施するための形態】
【００４０】
以下、本発明に係る文字入力装置１の構成及び実施形態を各入力動作別に添付された図面を参照しつつ詳細に説明する。
【００４１】
第１方向入力（Ｍ）
本明細書において、第１方向入力（Ｍ）とは、入力部１０が基準位置（Ｓ）から基準位置（Ｓ）を中心として放射状に離隔配置された複数の第１方向指示位置（Ｍ１，Ｍ２，．．．）のうち、いずれか１つに移動され、各第１方向指示位置（Ｍ１，Ｍ２，．．．）に割り当てられた文字を入力することとする。
【００４２】
図３は、図２に図示された本発明に係る入力部１０及びベース１１０の結合断面図である。
【００４３】
図面を参照すると、ベース１１０に設けられた入力領域１１１の一側には基準位置（Ｓ、図２参照）が設けられており、基準位置（Ｓ）を中心として放射状に複数の第１方向指示位置（Ｍ１，Ｍ２，．．．）が離隔配置されている。
【００４４】
そして、ベース１１０には各第１方向指示位置（Ｍ１，Ｍ２，．．．）に対応して入力部１０の移動を感知する第１感知部６１が設けられている。
【００４５】
したがって、入力部１０が基準位置（Ｓ）から所定の第１方向指示位置（Ｍ１，Ｍ２，．．．）に向かって移動すると、入力部１０の移動が感知された第１感知部６１の感知信号に基づいて、制御部５１で該当第１方向指示位置（Ｍ１，Ｍ２，．．．）に割り当てられた第１文字をメモリ部５５から抽出して入力する。
【００４６】
第１感知部６１は多様な種類で設けられることができ、例えば、圧力センサ、光センサ、または接触センサで設けられることもでき、入力領域１１１の全体に設けられたタッチパッド、またはタッチスクリーンで設けられることもでき、トラックポインタ方式により設けられることもできる。
【００４７】
ここで、第１方向指示位置（Ｍ１，Ｍ２，．．．）は、必要によって多様な数で設けられることができるところ、図３に示すように、８個（Ｍ１〜Ｍ８）で設けられることもでき、４個で設けられることもでき、６個で設けられることもできる。
【００４８】
第１方向入力（Ｍ）は、多様な方法を遂行できるが、例えば、入力部１０が基準位置（Ｓ）に位置した状態（図４の（ａ）参照）から所定の第１方向指示位置（Ｍ５）に向かって滑動（または、水平移動、図４の（ｂ）参照）しながら遂行されることができる。
【００４９】
ここで、上記滑動または水平移動とは、ベース１１０の底面に対する厳密な水平に限定されるものでなく、基準位置（Ｓ）から第１方向指示位置（Ｍ１，Ｍ２，．．．）に向かった可能な全ての角度及び方向を含む。
【００５０】
この場合、入力部１０は、第１方向入力（Ｍ）を遂行する際、基準位置（Ｓ）を中心として半径方向に移動できることは勿論、図５の（ｃ）に示すように、入力領域１１１内で基準位置（Ｓ）を中心として円周方向にも滑動しながら遂行されることができる。
【００５１】
2009545054.tif 000003
【００５２】
2009545054.tif 000004
【００５３】
前述した例において、入力部１０は、円周方向に移動される際、複数の第１感知部６１により感知できるが、この場合、制御部５１は入力部１０の移動を最後に感知した第１感知部６１の感知信号のみを有効に判断することができる。
【００５４】
例えば、入力部１０が基準位置（Ｓ）に戻られる場合、リセット（Reset）信号を発生するようにすることで、上記リセット信号の発生の直前に発生した第１感知部６１の感知信号のみを有効に判断することができる。
【００５５】
または、入力部１０の入力動作による同種の信号がオフ（Off）される場合に、引続き発生した同種の感知信号の中で、最終信号のみを有効に判断することもできる。
【００５６】
即ち、入力部１０を円周方向に移動して第１方向入力（Ｍ）に属する複数の感知信号を発生させた後、引続き（即ち、基準位置（Ｓ）に戻らず）中央入力（Ｃ）や第２方向入力（Ｐ）を遂行して異種の感知信号を発生させる場合には、中央入力（Ｃ）や第２方向入力（Ｐ）に切換される直前の第１方向入力（Ｍ）のみ有効に入力される。
【００５７】
後者の場合は、入力部１０が基準位置（Ｓ）に戻ってリセット信号を発生させなくても、複数の感知信号のうち、有効な信号を判断できるという長所がある。
【００５８】
または、入力部１０の円周方向の移動によって各種機能命令が入力されるようにすることもできるが、例えば、入力部１０を反時計方向に円周移動させれば取消命令が、時計方向に円周移動させればスペース命令が入力されるようにすることもできる。
【００５９】
ここで、図４に示すように、入力部１０とベース１１０との間に設けられて入力部１０の移動を支持する支持部２５がさらに設けられることもできる。
【００６０】
一方、第１方向入力（Ｍ）は、図１０の（ｂ）に示すように、入力部１０が第１方向指示位置（Ｍ１，Ｍ２，．．．）のうち、いずれか１つに向かって傾いて遂行されることもできる。
【００６１】
この場合、入力部１０をベース１１０から所定高さに離隔支持する支持部２５をさらに含むことができる。
【００６２】
ここで、第１方向入力（Ｍ）のための入力部１０の動作形態は、前述した形態に限定されず、入力部１０を外部押圧により部分または全体の変形が可能な素材で製作して、入力動作の際、入力部１０の変形方向を感知するようにすることもできる。
【００６３】
または、具体化した入力部１０を設ける代わりに、指の移動を感知する感知部（例えば、タッチパッドやタッチスクリーン）を具備して第１方向入力（Ｍ）を遂行することもできる。
【００６４】
一方、ベース１１０に設けられて、入力部１０の移動をガイドするガイド部４０がさらに設けられることができる。
【００６５】
ガイド部４０は、入力部１０が移動する際、使用者が意図する正確な方向に移動するようにすることで、第１方向入力（Ｍ）の際、干渉が発生せず、正確な入力がなされるようにする。
【００６６】
ガイド部４０は多様な種類に設けられることができ、例えば、ベース１１０に基準位置（Ｓ）から各第１方向指示位置（Ｍ１，Ｍ２，．．．）に向かって所定形状の溝で形成された直線ガイドで設けられることができる。
【００６７】
または、図２に示すように、ベース１１０に入力領域１１１に対応する円板形状の溝が形成されて、入力部１０の半径方向への移動距離を制限すると共に、入力部１０の円周方向への移動をガイドすることができる。
【００６８】
または、図９に示すように、各第１方向指示位置（Ｍ１，Ｍ２，．．．）に対応する凹んでいる溝で設けられることもできる。
【００６９】
この場合、入力部１０は、ガイド部４０に対応する形状で設けられることによって、図９の（ｂ）に示すように、第１方向入力（Ｍ）を遂行する際、使用者が入力部１０を不正確な方向に移動してもガイド部４０に沿って所定の第１方向指示位置（Ｍ１，Ｍ２，．．．）に移動するようにすることができる。
【００７０】
ここで、ガイド部４０は、多様な材質で設けられることができ、例えば、弾性材質で設けられることができる。
【００７１】
一方、第１方向入力（Ｍ）は、入力部１０の移動距離の差、または移動押圧の強さによって２段以上の多段入力可能に設けられることができる。
【００７２】
即ち、第１方向入力（Ｍ）は、図３に示すように、入力部１０の水平移動（または、滑動）により遂行される場合は、基準位置（Ｓ）から各第１方向指示位置（Ｍ１，Ｍ２，．．．）に向かう入力部１０の移動経路上に順次に２つ以上の第１感知部６１を設けることができる。
【００７３】
または、入力部１０、または入力部１０の下部に設けられた弾性部材２１のうち。いずれか１つに第１感知部６１に向かって長さを異にして突出した接触部２７ａ、２７ｂを設けることができる。
【００７４】
図６及び図７の（ｃ）を参照すると、入力部１０の下部に設けられた弾性部材２１の縁部に沿って相対的に長い第１接触部２７ａと相対的に短い第２接触部２７ｂを設けて、これに対応するベース１１０の一側には各接触部２７ａ、２７ｂと接触される第１感知部６１ａ、６１ｂを設けることができる。
【００７５】
これによって、入力部１０を所定方向に１段移動すれば第１接触部２７ａが先に第１感知部６１ａに接触され、２段移動を遂行すれば第２接触部２７ｂまで第１感知部６１ｂに接触される。
【００７６】
ここで、第１接触部２７ａ、第２接触部２７ｂは、図７の（ｃ）に示すように、入力部１０または弾性部材２１の縁部に沿って順次に交差され、設けられることができる。
【００７７】
弾性部材２１は、導電性材質を含み、中央処理装置（ＣＰＵ）の接地端子６４と連結されて接触部２７ａ、２７ｂにグラウンド信号が伝えられるようにする。
【００７８】
または、入力部１０の傾けにより遂行される時には、入力部１０または支持部２５の傾けを感知する光センサを傾け角度に従って１つ以上に設けることができる。
【００７９】
ここで、２段入力の区分感知のための第１感知部６１の方式は、前述した例に限定されず、多様な変形が可能であることが勿論である。
【００８０】
多段入力時の制御部５１の信号処理方法の一例を説明すると、次の通りである。
【００８１】
例えば、２段の第１方向入力（Ｍ）の場合、２段入力を遂行する時には、１段入力が先に遂行されるところ、制御部５１は１段の第１方向入力（Ｍ）が遂行された後に、所定の待機時間内に２段の第１方向入力（Ｍ）が遂行されるかの可否を待って、２段入力の可否を判断することができる。
【００８２】
好ましくは、制御部５１は一旦１段の第１方向入力（Ｍ）が遂行されれば上記の待機時間を待たないで、直ちに１段入力を処理し、かつ、上記待機時間内に２段入力が遂行されれば１段入力を取消し、２段入力に変更されるようにすることができる。この場合、上記待機時間の間の入力が遅延されることを防止することができる。
【００８３】
または、上記所定時間の経過の可否の代りに、１段入力の解除の可否（例えば、第１方向入力（Ｍ）が遂行された後、基準位置（Ｓ）に戻っているかの可否、または１段入力感知信号が解除（off）される際）によって、１段入力の変更の可否を決定することもできる。
【００８４】
即ち、１段入力が解除される際、最終の入力が決定される。
【００８５】
このようにすると、１段入力が遂行されれば直ちに入力処理となり、１段入力を解除すれば入力決定となるが、待機時間に関らず、１段入力を遂行した状態で解除せず、さらに進行して２段入力が遂行されれば１段入力が取消され、２段入力に変更される。
【００８６】
上記の信号処理方法は、２段入力遂行の際、誤った入力により１段入力が処理された際、１段入力を取消した後に２段入力を遂行する必要無しで１段入力が処理された状態で直ちに２段入力をさらに遂行して、上記１段入力を２段入力に変更できるので、より速い入力処理が可能である。
【００８７】
前述したように、所定の入力信号が感知されると、直ちに入力処理を遂行し、かつ入力が解除されなければ最終入力決定されないようにする場合、第１方向入力（Ｍ）または第２方向入力（Ｐ）を遂行する際、誤った入力を遂行した場合、入力処理された内容を消し、 再度入力を遂行する必要無しで、誤った入力が最終入力決定される前に希望する入力に修正できるので、入力が簡便になる。
【００８８】
または、第１感知部６１または第２感知部６３を圧力センサで設ける場合には、上記待機時間内に発生した最大圧力値に決定することができる。
【００８９】
または、第１感知部６１が入力部１０を感知した感知時間に基づいて、１段入力及び２段入力を区分することもできる。
【００９０】
例えば、上記感知時間が０．５秒未満であれば１段入力とし、０．５秒以上であれば ２段入力と判断することができる。
【００９１】
圧力センサの場合にも、前述したように、１段入力が遂行されれば直ちに入力処理し、１段入力が解除されれば入力決定されるようにして、１段入力が解除される前に２段入力に該当する感知値が追加に感知されれば１段入力を取消し、２段入力が入力決定されるようにすることができる。
【００９２】
ここで、前述した多段入力に関する制御部５１の信号処理に関しては、第１方向入力（Ｍ）の以外に第２方向入力（Ｐ）、中央入力（Ｃ）、方向組み合せ入力（ＭＰ，ＰＭ）、及び中央組み合せ入力（ＣＭ，ＣＰ）等にも同様に適用できることを明らかにする。
【００９３】
前述したように、第１方向入力（Ｍ）を多段で構成する場合には、それだけ割り当てられる文字の数（または、第１方向入力（Ｍ）を通じて入力できる文字の数）が増加することになる。
【００９４】
したがって、第１方向入力（Ｍ）を通じて多数の文字を入力しようとする時には、第１方向指示位置（Ｍ１，Ｍ２，．．．）の数をがむしゃらに増やさず、多段入力により解決できるので、第１方向指示位置（Ｍ１，Ｍ２，．．．）の数と多段入力の可否を適切に調節して最適の入力環境を具現することができる。
【００９５】
一方、第１方向入力（Ｍ）の際、２つの第１方向指示位置（Ｍ１，Ｍ２，．．．）が重複して選択される場合、例えば、入力部１０が２つの第１方向指示位置（Ｍ１，Ｍ２）の中間領域に移動して２つの第１感知部６１で入力部１０の移動が同時に感知される場合、入力信号間の干渉が発生することができる。
【００９６】
この場合、制御部５１は、複数の感知信号のうち、最初に発生した感知信号のみを有効に判断することができる。
【００９７】
即ち、最初に入力された信号を有効に入力処理し、最初信号が解除される前（例えば、第１方向入力（Ｍ）を遂行し、基準位置（Ｓ）に戻る前）、または所定時間内に入力された他の信号は無視することができる。
【００９８】
更に他の方法には、干渉により感知できる全ての信号値をデータベース化して処理することができる。例えば、所定の位置で１つ、２つ、または３つなどの第１感知部６１で感知信号が発生する場合、各々の場合毎に入力値をデータベース化して所定の信号が感知された時、該当データベースで該当入力値を出力処理するものである。
【００９９】
第１感知部６１が圧力センサで設けられる場合は、最大圧力値を示す感知位置のみを有効に判断することができる。
【０１００】
入力部１０は多様な形状で設けられることができる。
【０１０１】
例えば、図２に示すように、円板形状を設けられることもでき、多角形板形状で設けられることもでき、図９に示すように、各第１方向指示位置（Ｍ１，Ｍ２，．．．）方向に側面が突出した形状で設けられることもできる。
【０１０２】
または、図９の（ｃ）に示すように、４個の第２方向指示位置（Ｐ１，Ｐ２，．．．）を有する時には十字形で設けられることもできる。
【０１０３】
この場合、入力部１０の上部面には各第２方向指示位置（Ｐ１，Ｐ２，．．．）に対応してボタン形状の突起部５２ａが形成されることができる。
【０１０４】
入力部１０は、多様な材質で設けられることができ、例えば、弾性材質で設けられることができる。
【０１０５】
第１方向入力（Ｍ）の際、入力部１０の移動領域には制限がないし、好ましくは図２５に示すように、入力部１０に入力部１０に当てられた指の移動領域内で移動可能に設けることができる。
【０１０６】
入力部１０の上部面には、図１１の（ａ）に示すように、第１方向入力（Ｍ）の際、入力部１０に接触された指が滑らないように摺動防止部５４が設けられることができる。
【０１０７】
摺動防止部５４は、多様な種類で設けられることができ、例えば、入力部１０の上面に凹凸を形成することもでき、入力部１０の中央に凹んだ溝を形成することもできる。
【０１０８】
または、上記２つを全て設けることもできる。
【０１０９】
または、入力部１０は、図１１の（ｂ）または（ｃ）に示すように、第２方向入力（Ｐ）の際、指の把持及び操作が容易であるように、上段の一側に突起部５２ｂ，５２ｃが設けられることもできる。
【０１１０】
一方、入力部１０は、図１１の（ｄ）に示すように、上部面の中央で突出して第１方向入力（Ｍ）または第２方向入力（Ｐ）の遂行の際、入力部１０の操作を円滑にするための突出部５３をさらに含むことができる。
【０１１１】
突出部５３は、本発明に従う文字入力装置１をテーブルや地面に置いて使用する時、親指だけでなく、人差し指や中指などの指を使用する時にも入力が容易であるようにするためのものである。
【０１１２】
突出部５３は、多様な形状で設けられることができ、例えば、図１１の（ｄ）に示すように、リング形状で設けられることもでき、凸または凹形態で設けられることができる。
【０１１３】
一方、突出部５３に一端が挿入される操作棒５６をさらに含み、突出部５３には操作棒が挿入される結合部５７を設けることによって、操作棒５６を突出部５３に挿入したままで入力部１０を操作することもできる。
【０１１４】
第２方向入力（Ｐ）
本明細書において、第２方向入力（Ｐ）とは、入力部１０自体に放射状に離隔配置される複数の第２方向指示位置（Ｐ１，Ｐ２，．．．）のうち、いずれか１つを選択することによって、該当第２方向指示位置（Ｐ１，Ｐ２，．．．）に割り当てられた第２文字を入力することとする。
【０１１５】
即ち、第１方向入力（Ｍ）は、入力部１０の外部に配置された第１方向指示位置（Ｍ１，Ｍ２，．．．）に向かって入力部１０の全体が移動しながら遂行される一方、第２方向入力（Ｐ）は、入力部１０自体に配置された第２方向指示位置（Ｐ１，Ｐ２，．．．）を選択するものであって、入力部１０の全体の水平移動（または、滑動）や傾け移動が遂行できない。
【０１１６】
第２方向入力（Ｐ）は多様な方法で遂行できるところ、例えば、図４の（ｃ）に示すように、入力部１０が第２方向指示位置（Ｐ１，Ｐ２，．．．）のうち、いずれか１つに向かって傾くことにより遂行されることができる。
【０１１７】
この場合、入力部１０とベース１１０の下部には、入力部１０を初期の水平状態から任意の放射方向に傾け可能に支持する支持部２５をさらに含むことができる。
【０１１８】
または、第２方向入力（Ｐ）は、図５に示すように、入力部１０に各第２方向指示位置（Ｐ１，Ｐ２，．．．）に対応して設けられた押圧部１１のうち、いずれか１つを選択することにより遂行されることができる。
【０１１９】
ここで、押圧部１１は、入力部１０に各第２方向指示位置（Ｐ１，Ｐ２，．．．）を独立的に選択できる全ての形態（入力部１０自体の傾けを除外する）を含む。
【０１２０】
例えば、入力部１０に各第２方向指示位置（Ｐ１，Ｐ２，．．．）に対応して各々別途に設けられた押圧ボタンや押圧スイッチであることもでき、入力部１０の上段または内部に各第２方向指示位置（Ｐ１，Ｐ２，．．．）に対応して第２感知部６３のみ設けられた押圧スイッチであることもできる。
【０１２１】
一方、第２方向入力（Ｐ）も第１方向入力（Ｍ）のように円周入力が可能であり、円周入力と関連した入力機能及び信号処理は第１方向入力（Ｍ）と同一である。
【０１２２】
ここで、入力部１０は多様なサイズで設けられることができるが、好ましくは、図２５に示すように、入力部１０の上段に押圧部１１が設けられる場合は、入力部１０は入力部１０に指を当てた状態で各押圧部１１が選択できるサイズで設けられることができる。
【０１２３】
同様に、入力部１０が傾くことにより第２方向入力（Ｐ）が遂行される場合にも、図１１の（ｂ）に示すように、入力部１０に一つの指が接触された状態で指を傾けて各第２方向指示位置（Ｐ１，Ｐ２，．．．）に入力部１０を傾けることができる程度のサイズで設けられることが好ましい。
【０１２４】
第２感知部６３は、第２方向入力（Ｐ）が遂行される形態によって多様に設けられることができる。
【０１２５】
例えば、第２方向入力（Ｐ）が入力部１０の傾けにより遂行される時には、入力部１０の下部縁部に入力部１０の傾けによってベース１１０に順次に接触する段差を設けて、上記段差またはベース１１０に入力部１０とベース１１０との接触を感知する接触センサで設けられたり、入力部１０の傾けを感知する光センサなどで設けられることができる。
【０１２６】
または、第２方向入力（Ｐ）が入力部１０に設けられた各押圧部１１により遂行される場合は、各押圧部１１の下部に設けられた接触センサ、押圧スイッチ、または圧力センサなどで設けられることができる。
【０１２７】
一方、第２方向入力（Ｐ）は、２段以上の多段入力可能に設けられることができる。
【０１２８】
例えば、入力部１０の傾け程度、または押圧部１１の押圧強さ、または押圧距離の差によって多段入力を各々区分して入力することができる。
【０１２９】
図４の（ｅ）を参照すると、第２方向入力（Ｐ）が２段で設けられる場合、例えば、入力部１０の下部縁部に沿って段差を形成し、１段の傾けによっては下部の第２感知部６３ａがベース１１０に接触され、２段の傾けによっては上部の第２感知部６３ｂがベース１１０に接触されるようにすることができる。
【０１３０】
または、図７の（ａ）に示すように、入力部１０の下部に設けられた弾性部材２１、または入力部１０自体に第２感知部６３ａ，６３ｂに向かって互いに異なる長さで突出した第３接触部２７ｃ、または第４接触部２７ｄを設けることができる。
【０１３１】
この場合、入力部１０の傾け程度によって相対的に長い第３接触部２７ｃが先に第２感知部６３ａに接触され、次に２段入力の際、第４接触部２７ｂが第２感知部６３ｂに接触される。
【０１３２】
ここで、接触部２７ａ、２７ｂは弾性がある導電性部材で設けられることができる。
【０１３３】
ここで、多段の第２方向入力（Ｐ）が遂行される場合の制御部５１での信号処理に関しては、第１方向入力（Ｍ）で前述した方法が同様に適用されることができる。
【０１３４】
一方、各第２方向指示位置（Ｐ１，Ｐ２，．．．）への接近、または接触を感知することによって、該当第２方向指示位置（Ｐ１，Ｐ２，．．．）に重複割り当てられた他の文字を入力するタッチ入力が遂行可能に設けられることができる。
【０１３５】
この場合、図８に示すように、各第２方向指示位置（Ｐ１，Ｐ２，．．．）に対応する各入力部１０の上段または各押圧部１１に指の接近または接触を感知するタッチ感知部６７が設けられることができる。
【０１３６】
例えば、図８において、所定の第２方向指示位置（Ｐ２）への接触によっては文字‘Ａ’が入力され、該当第２方向指示位置（Ｐ２）への傾けによっては文字‘Ｂ’が入力される。
【０１３７】
したがって、タッチ入力を通じて第２方向指示位置（Ｐ１，Ｐ２，．．．）に割り当てできる文字の数を増加させることができ、第２方向入力（Ｐ）を多段で構成すれば、より多くの数の文字が割り当てできる。
【０１３８】
ここで、第１方向指示位置（Ｍ１，Ｍ２，．．．）及び第２方向指示位置（Ｐ１，Ｐ２，．．．）は、多様な数で設けられることができ、例えば、４方向乃至１２方向のうち、いずれか１つで設けられることができる。
【０１３９】
ここで、第１方向指示位置（Ｍ１，Ｍ２，．．．）及び第２方向指示位置（Ｐ１，Ｐ２，．．．）は、８個以下に設けられることが好ましいところ、これは人の指で操作できる入力方向の数が８個を超過する場合には各方向指示位置の間の間隔が狭くなって入力正確度が低下できるためである。
【０１４０】
この場合、足りない方向指示位置の数に対しては、後述する中央入力（Ｃ）を組み合せしたり、入力部１０を左右２揃で設けることによって、入力に必要な文字を全て配列し、かつ最適の入力条件を具現することができる。
【０１４１】
また、第１方向指示位置（Ｍ１，Ｍ２，．．．）と第２方向指示位置（Ｐ１，Ｐ２，．．．）は、互いに同一な数で設けられることもでき、互いに異なる数で設けられることもできる。
【０１４２】
第１方向入力（Ｍ）と第２方向入力（Ｐ）とが組み合せられた実施形態
以下、本発明に係る文字入力装置１において、前述した第１方向入力（Ｍ）及び第２方向入力（Ｐ）が組み合せられた代表的な実施形態を説明する。
【０１４３】
まず、第１実施形態として、図３に示すように、第１方向入力（Ｍ）は、入力部１０が基準位置（Ｓ）から第１方向指示位置（Ｍ１，Ｍ２，．．．）に向かって滑動しながら遂行され、第２方向入力（Ｐ）は、入力部１０の上段に各第２方向指示位置（Ｐ１，Ｐ２，．．．）に対応して設けられた押圧部１１を選択することにより遂行される。
【０１４４】
この場合、第１方向入力（Ｍ）を感知するための第１感知部６１は、図３に示すように、入力部１０の下部側ベース１１０に設けられることもでき、図４の（ａ）及び（ｂ）に示すように、入力部１０の縁部側ベース１１０に設けられることもできる。
【０１４５】
一方、第２方向入力（Ｐ）は、図１０の（ａ）に示すように、入力部１０の下部に接触部２７ｃ、２７ｄを設けて、押圧部１１を押さえて第２感知部６３に接触されるようにすることにより遂行されることができる。
【０１４６】
この場合、各接触部２７ｃ、２７ｄを互いに異なる長さで設けることによって、１段の第２方向入力（Ｐ）には第３接触部２７ｃが、２段の第２方向入力（Ｐ）には第４接触部２７ｄが接触されるようにすることができる。
【０１４７】
一方、中央入力キー１３の下部には、１段の中央入力（Ｃ）の際、第３感知部６５ａに接触される第５接触部２７ｅと、２段の中央入力（Ｃ）の際、第３感知部６５ｂに接触される第６接触部２７ｆが互いに異なる長さで突出されている。
【０１４８】
また、入力部１０の外周縁には第１方向入力（Ｍ）を遂行した後に入力部１０を基準位置（Ｓ）に復帰させるための弾性材質のリターン部材５８が設けられる。
【０１４９】
図６及び図７には、本発明の第２実施形態に従う文字入力装置１が図示されている。図面を参照すると、第１方向入力（Ｍ）は、入力部１０が基準位置（Ｓ）から第１方向指示位置（Ｍ１，Ｍ２，．．．）に向かって滑動しながら遂行され、第２方向入力（Ｐ）は入力部１０が水平位置から第２方向指示位置（Ｐ１，Ｐ２，．．．）のうち、いずれか１つに向かって傾きながら遂行される。
【０１５０】
第１方向入力（Ｍ）は、図７の（ｃ）に示すように、入力部１０または弾性部材２１の縁部に沿って突出された接触部２７ａ、２７ｂと、これに対応してベース１１０に設けられた第１感知部６１ａ、６１ｂとからなる。
【０１５１】
この際、接触部２７ａ、２７ｂの突出長さを異にして２段以上の多段入力が遂行できることは前述した通りである。
【０１５２】
一方、第２方向入力（Ｐ）のために、入力部１０を傾けることが可能であるように支持する支持部２５がさらに設けられることができる。支持部２５は多様な種類で設けられることは勿論である。
【０１５３】
または、入力部１０の滑動を支持する滑動支持部２５’が設けられることもできる。
【０１５４】
一方、図７の（ｂ）を参照すると、入力部１０の下部には第２方向入力（Ｐ）が遂行された後に入力部１０を原位置に復帰させるリターン部材５８が設けられている。
【０１５５】
リターン部材５８は、弾性部材２１（または、入力部１０）とＰＣＢ基板１１３に設けられて入力部１０の滑動及び傾けの２つの入力動作全てに適用される。
【０１５６】
または、支持部２５を設けず、入力部１０自体を弾性材質で設けることができることは勿論、入力部１０とベース１１０との間に変形が可能な弾性体を設けることで、入力部１０の傾けを可能にすることができる。
【０１５７】
この際、第２感知部６３ａ，６３ｂは、入力部１０が所定の方向に第１方向入力（Ｍ）を遂行した状態で所定の方向に第２方向入力（Ｐ）を遂行しても接触部２７ｃ、２７ｄに感知できるように所定の形態とサイズ（面積）を有する。
【０１５８】
図１０の（ｃ）には、本実施形態の他の具現形態が図示されている。
【０１５９】
図面を参照すると、入力部１０とベース１１０との間に押圧空間を形成する弾性部材４０を設けて、弾性部材４０の下部に感知部６１、６３、６５を設けることができる。
【０１６０】
この際、弾性部材４０の内側面には各感知部６１、６３、６５に向かって互いに異なる長さで突出された接触部２７ａ乃至２７ｆが設けられることで、多段入力を遂行することができる。
【０１６１】
接触部２７ａ、２７ｂと弾性部材４０との間には、導電性部材２３が介されており、導電性部材４３の一端は接地端子６４に連結されており、他端は接触部２７ａ乃至２７ｆに連結されているので、接触部２７ａ乃至２７ｆを通じて感知信号が制御部６０に伝えられる。
【０１６２】
ここに、例えば、１段の第１方向入力（Ｍ１）を遂行すると、外側の接触部２７ａがメタルドーム５８に接触されて１段の方向入力信号を発生する。この際、接触部２７ａは メタルドーム２４の縁に接触されるので、メタルドーム２４は本来の形状を維持している。
【０１６３】
次に、２段の第１方向入力（Ｍ２）を遂行すると、内側の接触部２７ｂが下降しながらメタルドーム２４を変形させて、第１感知部６１ｂに接触しながら２段の方向入力信号を発生する。
【０１６４】
この過程で、メタルドーム２４が変形される際、クリック感を与えることができるので、使用者が１段入力と２段入力を容易に区別できる長所がある。
【０１６５】
本発明の第３実施形態に従う文字入力装置１は、第１方向入力（Ｍ）は入力部１０が基準位置（Ｓ）から第１方向指示位置（Ｍ１，Ｍ２，．．．）に向かって滑動しながら遂行され、２方向入力（Ｐ）は第２方向指示位置（Ｐ１，Ｐ２，．．．）に向かって傾斜移動することにより遂行される。
【０１６６】
ここで、‘傾け移動’とは、図１０の（ｂ）の左側に示すように、入力部１０の全体が所定方向に向けて傾きながら（または、支持部２５と同時に）移動されることをいう。
【０１６７】
一方、‘傾け’とは、図１０の（ｂ）の右側に示すように、入力部１０が支持部２５に対して傾くことを意味する。
【０１６８】
ここで、前述した‘傾け移動’ではないが、図８に示すように、第１方向入力（Ｍ）は滑動により遂行され、第２方向入力（Ｐ）は入力部１０の傾けによっても遂行されることができる。
【０１６９】
または、第１方向入力（Ｍ）が滑動により遂行され、第２方向入力（Ｐ）が傾け移動により遂行されることに加えて、入力部１０がその場で傾くこともできる。
【０１７０】
前述した各実施形態において、入力部１０はベース１１０の内外部に突出及び収容可能に設けられることができる。
【０１７１】
したがって、入力部１０をベース１１０の内部に収容させることによって、体積を最小化することができ、入力部１０を突出させる時には容易な操作が可能になる。
【０１７２】
図１０の（ｂ）には、本発明の第４実施形態に従う文字入力装置１が図示されている。
【０１７３】
図面を参照すると、第１方向入力（Ｍ）は入力部１０の‘傾け移動’により遂行され（左側図面参照）、第２方向入力（Ｐ）は入力部１０の傾けにより遂行される（右側図面参照）。
【０１７４】
入力部１０は、支持部２５により支持されており、支持部２５は弾性材質を含んで入力部１０が各第１方向指示位置（Ｍ１，Ｍ２，．．．）に傾け移動可能にする。
【０１７５】
入力部１０の傾け移動は、入力部１０の縁部がベース１１０に設けられた第１感知部６１に接触されることにより遂行される。
【０１７６】
一方、入力部１０の下部に対応するＰＣＢ基板１１３には、入力部１０の傾けによる第２方向入力（Ｐ）を感知する第２感知部６３が配置されている。
【０１７７】
前述した各実施形態において、第１方向入力（Ｍ）または第２方向入力（Ｐ）は、互いに同一な個数の方向指示位置を有することもでき、互いに異なる個数の方向指示位置を有することもできる。
【０１７８】
また、第１方向入力（Ｍ）または第２方向入力（Ｐ）のうちの１つ以上は、多段入力可能に設けられることができる。
【０１７９】
例えば、第１方向入力（Ｍ）は１段入力で設けられ、第２方向入力（Ｐ）は２段入力で設けられることができる。この場合、第２方向入力（Ｐ）によっては子音文字を入力し、第１方向入力Ｐによっては母音を入力することができる。
【０１８０】
これは、大部分の各国文字において、子音文字が母音文字に比べて相対的に個数及び使用頻度にとって多くて、多段入力の際、第１方向入力（Ｍ）よりは第２方向入力（Ｐ）が相対的に容易であることがあるためである。
【０１８１】
前述したように、本発明に係る文字入力装置１は、互いに区分される入力動作を有する第１方向入力（Ｍ）及び第２方向入力（Ｐ）を組み合せて、迅速で、かつ正確な文字を入力することができる。
【０１８２】
これは、子音と母音が繰り返して混ざって配列される殆どの全ての各国文字の入力において、子音と母音を各入力動作に従って区分して入力できるためである。
【０１８３】
さらに、第１方向入力（Ｍ）及び第２方向入力（Ｐ）は、各入力動作間に拘束がないので（即ち、いずれか１つの入力動作を遂行するために他の入力動作を必須的に遂行しなければならない等）、複数の入力動作を引続き遂行することによって、あたかも１つの入力動作のように遂行することができる。
【０１８４】
例えば、図２５を参照して、本発明に従う文字入力装置１の入力例を説明すると、アルファベット文字‘ＣＡＲ’を入力しようとする時、子音‘Ｃ’が割り当てられた第２方向指示位置（Ｐ７）に向かって入力部１０を傾け（または、押圧部１１を選択）した後、母音‘Ａ’が割り当てられた第１方向指示位置（Ｍ１）に向けて入力部１０を移動する。次に、子音‘Ｒ’が割り当てられた第２方向指示位置（Ｐ２）に向かって入力部１０をまた傾ければよい。ここで、前述した３つの動作は同一または微小な差を置いて順次に遂行できるので、複数の文字からなる単語を連続した１動作のように入力することができる。
【０１８５】
前述した各実施形態は、本発明に係る文字入力装置１において、第１方向入力（Ｍ）、及び第２方向入力（Ｐ）が組み合せられた基本的な形態を説明したものであり、その他にも多様な構成の組み合せが可能であることが勿論、各構成の形状、サイズ、材質などの変形も制限無しで可能である。
【０１８６】
以下、前述した基本的な形態に含まれることができる追加構成及び多様な変形例に対して詳細に説明する。
【０１８７】
後述する各構成は、単独で適用できることは勿論、２つ以上が同時に適用されることもでき、この場合、多様な組み合せが可能であることを予め明らかにする。
【０１８８】
中央入力（Ｃ）
本明細書において、中央入力（Ｃ）とは、第１方向入力（Ｍ）、または第２方向入力（Ｐ）と別に入力部１０の中央に設けられた中央入力キー１３を選択したり、入力部１０自体が上下に昇降しながら遂行されることとする。
【０１８９】
中央入力（Ｃ）は、例えば、図３に示すように、入力部１０の中央に選択可能な中央入力キー１３と、中央入力キー１３の選択を感知する第３感知部６５により遂行されることができる。
【０１９０】
または、中央入力（Ｃ）は、図４の（ｄ）に示すように、入力部１０の全体がベース１１０に対して上下移動可能に設けられ、上記入力部１０またはベース１１０のうち、いずれか１つで入力部１０の上下移動を感知することもできる。
【０１９１】
ここで、前述した２つ形態の中央入力（Ｃ）は、いずれか１つのみ設けられることもできるが、同時に設けられることもできることは勿論である。
【０１９２】
一方、中央入力（Ｃ）は、中央入力キー１３の押圧距離、または押圧強さや、入力部１０の自体の昇降距離に従って２段以上の多段入力が可能であることが勿論である。
【０１９３】
一方、中央入力キー１３への接近または接触を感知することによって、中央入力キー１３に重複割り当てられた他の文字を入力するタッチ入力が遂行可能に設けられることができる。
【０１９４】
この場合、中央入力キー１３には、指の接近または接触を感知する中央タッチ感知部６１ａが設けられる。
【０１９５】
ここで、中央タッチ感知部６１ａが設けられる場合は、制御部５１は中央入力キー感知部６９で指の接触が所定時間以上感知される場合、タッチ感知部６７の感知結果を無視してタッチ入力が遂行できないようにすることができる。
【０１９６】
中央組み合せ入力（ＣＭ，ＣＰ）
本明細書において、中央組み合せ入力（ＣＭ，ＣＰ）とは、中央入力（Ｃ）が第１方向入力（Ｍ）、または第２方向入力（Ｐ）のうち、いずれか１つと同時に遂行されることとする。
【０１９７】
例えば、図４の（ｂ）のように、第１方向入力（Ｍ）を遂行する際、図３に図示された中央入力キー１３を押さえたまま、入力部１０を所定の第１方向指示位置（Ｍ１，Ｍ２，．．．）に向かって移動させたり、または図４の（ｃ）のように、第２方向入力（Ｐ）を遂行する際、中央入力キー１３を押さえたまま、入力部１０を所定の第２方向指示位置（Ｐ１，Ｐ２，．．．）に向かって傾けるものである。
【０１９８】
図１２は、中央組み合せ入力（ＣＭ，ＣＰ）の入力方法を説明するための概念図である。
【０１９９】
図面を参照して第１方向入力（Ｍ）と中央入力（Ｃ）とが組み合せられる場合を例として説明すると、入力部１０を所定の第１方向指示位置（Ｍ１）に移動させる過程で、中央入力（Ｃ）が遂行された状態で移動すると、方向組み合せ入力（ＣＭ１）が遂行される一方、中央入力（Ｃ）の遂行無しで入力部１０のみ移動すると、第１方向入力（Ｍ１）が遂行される。
【０２００】
ここで、中央組み合せ入力（ＣＭ，ＣＰ）は、第１方向入力（Ｍ）、第２方向入力（Ｐ）、または中央入力（Ｃ）のうち、１つ以上が２段以上の多段入力で設けられる場合にも適用されることができる。
【０２０１】
例えば、図１７に示すように、第１方向入力（Ｍ）が２段で設けられる場合は、１段の第１方向入力（Ｍ１１）と中央入力（Ｃ）が組み合せられた１段の中央組み合せ入力（ＣＭ１１）と、２段の第１方向入力（Ｍ２１）と中央入力（Ｃ）とが組み合せられた２段の中央組み合せ入力（ＣＭ２２）が可能である。
【０２０２】
逆に、図１８に示すように、第１方向入力（Ｍ）を１段で構成し、中央入力（Ｃ１、Ｃ２）を２段で構成することで、第１方向入力（Ｍ１）と１段の中央入力（Ｃ１）とが組み合せられた１段の中央組み合せ入力（Ｃ１Ｍ１）と、第２方向入力（Ｍ１）と２段の中央入力（Ｃ２）とが組み合せられた２段の中央組み合せ入力（Ｃ２Ｍ１）が可能であるように設けることもできる。
【０２０３】
したがって、中央組み合せ入力（ＣＭ，ＣＰ）が遂行可能に設けられる場合は、第１方向指示位置（Ｍ１，Ｍ２，．．．）及び第２方向指示位置（Ｐ１，Ｐ２，．．．）に文字を重複して割り当てることができるので、別途の追加構成無しにも入力容量（入力できる文字の数）を増加させることができる。
【０２０４】
前述した２つの場合において、中央組み合せ入力（ＣＭ，ＣＰ）は第１方向入力（Ｍ）でない第２方向入力（Ｐ）と組み合せできることは勿論である。
【０２０５】
即ち、中央組み合せ入力（ＣＭ，ＣＰ）は、前述した全ての形態の第１方向入力（Ｍ）及び第２方向入力（Ｐ）と前述した全ての形態の中央入力（Ｃ）が制限無しで組み合せられることができる。
【０２０６】
方向組み合せ入力（ＭＰ，ＰＭ）
本明細書において、方向組み合せ入力（ＭＰ，ＰＭ）とは、第１方向入力（Ｍ）または第２方向入力（Ｐ）のうち、いずれか１つが先に遂行された状態で、引続き他の１つが遂行される際、上記入力動作に割り当てられた第３文字が入力されることとする。
【０２０７】
即ち、方向組み合せ入力（ＭＰ，ＰＭ）は、図４の（ｂ）に示すように、第１方向入力（Ｍ）を先に遂行した状態、即ち、入力部１０が第１方向指示位置（Ｍ）に移動した状態で、図４の（ｃ）に示すような第２方向入力（Ｐ）が遂行されるか、その反対の場合で遂行されるものである。
【０２０８】
図１３は、方向組み合せ入力（ＭＰ，ＰＭ）の入力方法を説明するための概念図である。
【０２０９】
図１３の（ａ）は、第１方向入力（Ｍ）を先に遂行した状態で、第２方向入力（Ｐ）を引続き遂行する場合を示すものであって、方向組み合せ入力（Ｍ１Ｐ１）は入力部１０を第１方向指示位置（Ｍ１）に移動した状態で、第２方向指示位置（Ｐ１）に第２方向入力（Ｐ）が遂行された場合を表す。
【０２１０】
逆に、図１３の（ｂ）は、第２方向入力（Ｐ）を先に遂行した状態で、第１方向入力（Ｍ）を引続き遂行する場合であって、方向組み合せ入力（Ｐ１Ｍ１）は第２方向指示位置（Ｐ１）に第２方向入力（Ｐ）を遂行した状態で、第１方向指示位置（Ｍ１）に第１方向入力（Ｍ）が遂行された場合を示す。
【０２１１】
第２方向入力（Ｐ）が先に遂行された状態で、第１方向入力（Ｍ）が遂行される場合、第１感知部６１は、図１４の（ｃ）に示すように、各押圧部１１に対応する第２感知部６３の周辺に各々配置されることができる。
【０２１２】
ここで、第１方向指示位置（Ｍ１，Ｍ２，．．．）と第２方向指示位置（Ｐ１，Ｐ２，．．．）は全ての方向に対して組み合せが可能である。
【０２１３】
即ち、図１３の（ａ）に示すように、第１方向指示位置（Ｍ２）に入力部１０を移動した状態で、第２方向指示位置（Ｐ４）に第２方向入力（Ｐ）が遂行されると、方向組み合せ入力（Ｍ２Ｐ４）が遂行される。
【０２１４】
ここで、前述したように、方向組み合せ入力（Ｍ１Ｐ１、Ｐ１Ｍ１）は、組み合せられる第１方向入力（Ｍ）及び第２方向入力（Ｐ）の順序に従って、各々互いに異なる文字が入力されるようにすることもできるが、組み合せ順序に関らず、同一な文字が入力されるようにすることもできる。
【０２１５】
即ち、方向組み合せ入力（Ｍ１Ｐ１）及び方向組み合せ入力（Ｐ１Ｍ１）により同一な文字が入力されることができる。
【０２１６】
一方、方向組み合せ入力（ＭＰ，ＰＭ）が可能であるように設けられない場合は、第１方向入力（Ｍ）と第２方向入力（Ｐ）が同時に遂行されても各入力が独立的に遂行されることは勿論である。
【０２１７】
2009545054.tif 000005
【０２１８】
一方、第１方向入力（Ｍ）及び第２方向入力（Ｐ）のうち、１つ以上が２段以上の多段入力可能に設けられる場合は、それに対応する組み合せの数だけ方向組み合せ入力（ＭＰ，ＰＭ）が発生することになるので、入力容量を極大化できることになる。
【０２１９】
したがって、方向組み合せ入力（ＭＰ，ＰＭ）を通じて漢字や日本語文字のように、音素が５０個以上になる文字を入力する時に好ましい。
【０２２０】
ここで、前述した中央入力（Ｃ）、中央組み合せ入力（ＣＭ，ＣＰ）、及び方向組み合せ入力（ＭＰ，ＰＭ）は、必要によって第１方向入力（Ｍ）及び第２方向入力（Ｐ）に加えて自由に組み合せして使用できることは勿論、各入力において、方向指示位置の個数も制限無しで変更して使用できるということを明らかにする。
【０２２１】
方向回転入力（Ｒ）
本明細書において、方向回転入力（Ｒ）とは、入力部１０がベース１１０上で基準位置を中心として左右方向に自体回転しながら割り当てられた文字またはデータを入力することとする。
【０２２２】
入力部１０の回転は多様な方法により具現されることができ、例えば、図１４の（ａ）に示すように、支持部２５を互いに相手移動可能な第１支持部２５ａと第２支持部２５ｂとに分割して設けることができる。
【０２２３】
ここで、第１支持部２５ａが固定され、第２支持部２５ｂが第１支持部２５ａ方向に回転することもでき、その反対も可能である。
【０２２４】
第１支持部２５ａと第２支持部２５ｂとの間には各々回転方向に回転感知部６８ａ、６８ｂが設けられている。
【０２２５】
ここに、入力部１０を右方（Ｒ１）に回転させると、第１支持部２５ａが回転して回転感知部６８ｂで回転を感知し、入力部１０を左方（Ｒ２）に回転させると、回転感知部６８ａで回転を感知する。
【０２２６】
または、図１４の（ｂ）に示すように、入力部１０の一側に回転突起７７を形成し、回転突起７７の左右側には各々回転突起７７の回転距離方向に順次に配置された回転感知部６８ｃ、６８ｄ、６８ｅ、６８ｆを設けることができる。
【０２２７】
前述した入力部１０の左右方向回転は、回転距離（または、回転角度）によって２段回転が可能であるところ、即ち、入力部１０を右方に１段回転すると、右方の一番目の回転感知部６８ｃで１段回転を感知し、入力部１０を右方にさらに回転させて２段回転をする場合は、右方の２番目の回転感知部６８ｄで２段回転を感知するようにすることができる。
【０２２８】
一方、前述した各場合において、入力部１０は必要によって多様な回転角度を有することができるところ、例えば、図１４の（ａ）または（ｂ）に示すように、所定角度だけ回動されることもでき、１回転（３６０度）以上回転されることもできることは勿論である。
【０２２９】
また、入力部１０の方向回転は全ての押圧部１１において同一なデータが入力されることができるが、各押圧部１１に組み合せわせて選択された押圧部１１毎に互いに異なるデータが入力されるようにすることもできる。
【０２３０】
文字の配列
本明細書において、‘文字’とは、ハングル文字、英文字、または日文字など、各国の言語に従う狭意の文字を意味することとする。
【０２３１】
しかしながら、本発明に係る文字入力装置において、入力可能なデータは、上記文字に限定されず、数字、記号、またはエンター、スペース、取消などの各種機能命令を含むことができる。
【０２３２】
また、本明細書において、‘母音’とは、外国語の場合、発音がハングル母音に該当したり、言語学上の分流基準に従い同外国語のアルファベットを２種類に分けた時、相対的に個数が少ないアルファベット集団に属することとする。
【０２３３】
本発明に係る文字入力装置１において、前述した第１方向入力（Ｍ）、第２方向入力（Ｐ）、中央入力（Ｃ）、中央組み合せ入力（ＣＭ，ＣＰ）、または方向組み合せ入力（ＭＰ，ＰＭ）に文字を配置する方法には特別な制限がない。
【０２３４】
しかしながら、より効率的な文字入力のために、次のような方法により文字を配列することができる。
【０２３５】
まず、各国文字を配列するにあたって、子音文字と母音文字の入力が各々互いに異なる入力動作により入力されるようにすることができる。
【０２３６】
例えば、第１方向入力（Ｍ）によっては子音文字を入力し、第２方向入力（Ｐ）によっては母音文字を入力したり、その反対に入力するようにすることができる。
【０２３７】
これは、使用者が各入力動作別に入力される文字をすぐに連想できるので、本発明に係る文字入力装置１に容易に習熟することができる長所がある。
【０２３８】
図１５は、前述した実施形態に従う各国文字の配列例を示す表である。
【０２３９】
図面を参照すると、２段の第１方向入力（Ｍ）には各国文字の子音文字が配列され、２段の第２方向入力（Ｐ）には各国文字の母音文字が配置されることができる。
【０２４０】
2009545054.tif 000006
【０２４１】
この場合、第２方向指示位置（Ｐ１，Ｐ２，．．．）には母音文字の以外に、エンター、スペース、バックカーソル、取消（ＥＳＣ）などの機能命令がさらに割り当てられることができる。
【０２４２】
また、アルファベットの場合、使用頻度の高い連続した文字、例えば、‘ＣＨ’または‘ＩＮＧ’などは１つの方向指示位置に割り当てられることもできる。
【０２４３】
ここで、アルファベットの母音‘Ａ、Ｅ、Ｉ、Ｏ、Ｕ’の以外に、‘Ｗ、Ｘ、Ｙ’は母音のような効果があるので、本明細書では母音部と定義する。
【０２４４】
一方、１段の中央入力（Ｃ１）には、モード変更ウィンドウ、そして２段の中央入力（Ｃ２）にはマウスモード切換機能が割り当てられることができる。
【０２４５】
図１６の（ａ）に示すように、第２方向指示位置（Ｐ１，Ｐ２，．．．）が４個に設けられ、第２方向入力（Ｐ）が２段で入力可能に設けられる場合、アルファベットを配列する際、‘Ａ、Ｘ’、‘Ｅ、Ｉ’、‘Ｗ、Ｙ’、‘Ｏ、Ｕ’を第２方向指示位置（Ｐ１，Ｐ２，．．．）に割り当てて、１段及び２段の第２方向入力（Ｐ）により重複割り当てられた上記各文字が区別されて入力されるようにすることができる。
【０２４６】
即ち、１段の第２方向入力（Ｐ）によっては‘Ｅ（Ｐ１２）’が入力され、２段の第２方向入力（Ｐ）のよっては‘Ｉ（Ｐ２２）’が入力されることができる。
【０２４７】
2009545054.tif 000007
【０２４８】
勿論、図１６に図示されたものと反対に、第１方向入力（Ｍ）が４個の第１方向指示位置（Ｍ１，Ｍ２，．．．）をもって２段入力が構成されて、第１方向入力（Ｍ）により母音文字が入力されることもできる。
【０２４９】
アルファベットとハングルで、前述したように、類似している形状の文字同士配列する場合は、第２方向指示位置（Ｐ１，Ｐ２，．．．）から母音文字の形状が連想されるので、使用者が容易に習熟することができる。
【０２５０】
2009545054.tif 000008
【０２５１】
または、アルファベットの配列において、各文字の形態が類似するもの同士を括って配置することもできる。
【０２５２】
例えば、‘ｂ、ｄ’、‘ｐ、ｑ’、‘ｉ、ｊ’、‘ｍ、ｗ’、‘ｕ、ｖ’、‘ｋ、ｘ’、‘ｃ、ｏ’、‘ａ、ｅ’、‘ｓ、ｚ’、‘ｌ、ｒ’、‘ｆ、ｔ’、‘ｎ、ｈ’、‘ｙ、ｇ’のように、２つの文字を同一な方向指示位置に重複割り当てて、１段及び２段の多段入力により互いに区分されて入力するようにすることもできる。
【０２５３】
または、括られた２つの文字のうち、いずれか１つは第１方向入力（Ｍ）に割り当てられ、他の１つは第２方向入力（Ｐ）に割り当てられることもできる。
【０２５４】
一方、第１方向入力（Ｍ）または第２方向入力（Ｐ）のうち、いずれか１つにより、数字、記号、各種機能命令、またはモード変更のうち、いずれか１つが遂行されるようにすることができ、中央入力（Ｃ）によっては入力モードの切換、またはエンター、ＯＫなどの各種機能命令が遂行できる。
【０２５５】
ここで、電話モードの時には通話／終了ボタンで遂行されることができる。
【０２５６】
一方、本発明に係る文字入力装置１は、入力部１０を利用して入力装置であるマウスの機能を遂行することもできるが、この場合、マウス入力モードでは入力部１０の第１方向入力（Ｍ）によってはポインタの移動が、第２方向入力（Ｐ）または中央入力（Ｃ）と第２方向入力（Ｐ）によってはマウスの左／右ボタン、またはスクロール機能が遂行できる。
【０２５７】
この際、第２方向入力（Ｐ）において、上記入力部１０を縦段に両分して左側部位はマウスの左ボタンに、右側部位はマウスの右ボタンに対応されるようにすることができ、上記入力部１０を‘Ｘ’字型に４分して、左側部位はマウスの左ボタンに、右側部位はマウスの右ボタンに、上下側部位はマウスホイールに対応するようにすることができる。
【０２５８】
この場合、マウスの左ボタンに該当する方向の第２方向入力（Ｐ）を遂行したまま、第１方向入力（Ｍ）を遂行すると、マウスでのようにドラッグやドラックアンドドロップが可能である。
【０２５９】
これと関連した信号処理は、一般的に使われるマウスでの信号処理方法がそのまま使われることができる。
【０２６０】
または、第１方向入力（Ｍ）が多段で遂行される場合、マウスポインタの移動速度を段階別に調節することができる。
【０２６１】
ここで、前述したマウスモードへの変換は、別途のモード切換キー１２１を利用できるが、入力部１０を通じて遂行できるところ、例えば、入力部１０を円周方向に移動させるとか、１段または２段の中央入力（Ｃ）を遂行したり、または第１方向入力（Ｍ）を２段で遂行すると、入力モードが変換されるようにすることができる。
【０２６２】
中央入力（Ｃ）を遂行すれば、他のモードに移動できる入力モード変更ウインドウが表示され、第１方向入力（Ｍ）または第２方向入力（Ｐ）を通じて各種モードに移動することができる。
【０２６３】
または、中央入力（Ｃ）を遂行した状態で、第１方向入力（Ｍ）または第２方向入力（Ｐ）を通じて各種モード、例えば、ハングル入力モード、アルファベット入力モード、数字入力モード、記号入力モード、マウスモードを選択することができる。即ち、中央入力（Ｃ）を遂行した状態を維持している間には、文字表示部７２や字板表示部７４に各方向指示位置に本来割り当てられた文字の代りに各々の入力モードが表示される。
【０２６４】
図３１乃至図３３は、入力部１０が左右２揃で設けられる場合のキーボード字板配列の例を示すものである。
【０２６５】
まず、図３１は第１方向入力（Ｍ）及び第２方向入力（Ｐ）が各々８個の方向指示位置を有し、２段入力で構成された例を示す。
【０２６６】
ここで、中央の‘Ｎ’または‘Ｍ’は、中央入力（Ｃ）により、最外部の２行は１、２段の第１方向入力（Ｍ）により、中央の２行は１、２段の第２方向入力（Ｐ）により入力されるデータを表す。
【０２６７】
文字は、各入力部１０の第１方向入力（Ｍ）の１段と、第２方向入力（Ｐ）の１段に配列されている。
【０２６８】
図３１の（ａ）は、基本入力ウィンドウを示すものであって、文字２６個、数字１０個、Ｆキー１２個、ファンクションキー１０個、方向キー４個、切換キー２個、総６４個のデータが全て配列されている。
【０２６９】
記号やその他の使用頻度が低いキーは、左側字板表示部７４の中央に設けられたＮキーを選択して変換される次（Ｎｅｘｔ）のウィンドウに配列されることができる（図３１の（ｂ）参照）。
【０２７０】
または、方向キーが第２方向入力（Ｐ）に配列されるか、Ｆキーが次のウィンドウに配列され、記号が基本入力ウィンドウに配列されることができる。
【０２７１】
一方、右側字板表示部７４’の中央に設けられた‘Ｍ’キーを選択すると、図３１の（ｃ）に図示されたマウス入力ウィンドウに切換される。
【０２７２】
ここで、次のウィンドウとマウス入力ウィンドウは、中央組み合せ入力（ＣＭ，ＣＰ）に利用されることができ、例えば、所定の入力ウィンドウで中央組み合せ入力（ＣＭ，ＣＰ）を遂行した後に、指を放すと直前の入力ウィンドウに戻るようにすることができる。
【０２７３】
一方、本発明に係る文字入力装置１において、前述した中央感知機能を使用する場合には入力方法により区分される各文字を別途に表示することができる。
【０２７４】
即ち、図３２及び図３３のaは、指が中央入力キー１３に接触された状態で第２方向入力（Ｐ）を遂行する時に入力される文字を示すものであり、図３２及び図３３のbは、第２方向入力（Ｐ）のみ遂行される時に入力される文字を示すものである。
【０２７５】
この場合、第２方向入力（Ｐ）に割り当てられた入力容量が２倍に増加することになるので、入力部１０の１つ当り１６個、総３２個の文字をさらに配列することができる。
【０２７６】
したがって、図３１に図示された実施形態の場合、１つの字板表示部７４に最大に配列できるデータの数は２段の第１方向入力（Ｍ）により１６個、２段の第２方向入力（Ｐ）により１６個、中央入力キー１３と第２方向入力（Ｐ）との組み合せにより１６個、２段の中央入力（Ｃ）により２個で、１つの入力部１０で５０個のデータ配列が可能であり、２揃の場合、総１００個のデータ配列が可能である。
【０２７７】
したがって、次のウィンドウ無しにも現在使われるキーボードの全ての字板を１つのウィンドウに全て配列することができる。
【０２７８】
図３２及び図３３は、ポータブル移動通信端末機１００のような小型機器における字板表示例を示す。
【０２７９】
図面を参照すると、図３２は第１方向入力（Ｍ）及び第２方向入力（Ｐ）が各々８個の方向指示位置を有し、１段で構成される場合であり、図３３は各々４個の方向指示位置を有し、２段で構成される場合を示す。
【０２８０】
ここで、図３２の外部ラインと図３３の外部２ラインは第２方向入力（Ｐ）により、図３２の内部ラインと図３３の内部２ラインは第１方向入力（Ｍ）により入力されるデータを示し、図３２及び図３３の円弧（b参照）内の字板は入力部１０に手を当てないで、各第２方向入力（Ｐ）を遂行する時に入力されるデータを示す。
【０２８１】
特に、図３２及び図３３の（ａ）において、左側はマウス入力ウィンドウを、右側は基本入力ウィンドウを表し、（ｂ）はアルファベット入力ウィンドウを、（ｃ）の左側は数字入力ウィンドウを、右側は基本入力ウィンドウを表す。
【０２８２】
ここに、両実施形態の場合、（ａ）の右側字板表示部７４’の‘アルファベット’キーを選択すると、（ｂ）でのように両方とも変更される。
【０２８３】
この際、ｂの左側で中央の矢印表示を選択すると、（ａ）のマウスモードに切換され、右側の‘Ｂ’キーを選択すると、基本入力ウィンドウに切換される。
【０２８４】
または、（ａ）の右側字板表示部７４’の‘数字’キーを選択すると、右側字板表示部７４は固定され、左側の字板表示部７４’のみマウス入力ウィンドウに切換されることができる。
【０２８５】
図３２及び図３３に図示された実施形態は、図３１に図示された実施形態とは異なり、文字、数字、Ｆキー、記号などをモード変更により入力できるように配列したものである。
【０２８６】
したがって、この場合、第１方向入力（Ｍ）及び第２方向入力（Ｐ）を１段で構成したり、方向指示位置の数を４個に縮めて入力することができる。
【０２８７】
一方、端末機１００の電源を点けると、初期に一側にはマウス入力ウィンドウが、他側には基本入力ウィンドウが見えるようにすることができる。
【０２８８】
この状態で、基本入力ウィンドウを通じて希望するモードを選択してアルファベット入力ウィンドウや数字入力ウィンドウに切換することができる。
【０２８９】
この際、左側の入力ウィンドウはどんなモードでもマウス入力ウィンドウとして使用できるように、中央入力（Ｃ）を通じてモード変更可能にすることができ、右側では基本入力ウィンドウに復帰可能にすることができる。
【０２９０】
勿論、上記の各入力ウィンドウにおいても中央組み合せ入力（ＣＭ，ＣＰ）を通じて所定モードで、何時でもマウス機能を遂行したり、右側入力ウィンドウでモード変更を遂行するようにすることができる。
【０２９１】
２揃
本発明に係る文字入力装置１は、ベース１１０に２つ以上設けられることができる。
【０２９２】
図１９は、ポータブル移動通信端末機１００のベース１１０に左右２つの入力部１０、１０’が設けられた状態での入力例を示す作動図である。
【０２９３】
この場合、２つの入力部１０、１０’は、互いに同一な構成で設けられることもでき、互いに異なる構成で設けられることもできる。
【０２９４】
即ち、左側の入力部１０は、第１方向入力（Ｍ）、第２方向入力（Ｐ）、及び中央入力（Ｃ）が可能であるように設けられ、右側の入力部１０’は、第１方向入力（Ｍ）、第２方向入力（Ｐ）、中央入力（Ｃ）に加えて中央組み合せ入力（ＣＭ，ＣＰ）や方向組み合せ入力（ＭＰ，ＰＭ）が可能であるように設けられることができる。
【０２９５】
また、各方向指示位置の数が互いに異なることがあり、どの一側は２段入力可能に設けられることができる。
【０２９６】
図２１は、入力部１０、１０’が２揃で設けられる場合に、各入力部１０、１０’の構成の一例を示す概念図である。
【０２９７】
図２１の（ａ）を参照すると、各入力部１０、１０’は、２段の第１方向入力（Ｍ）と２段の第２方向入力（Ｐ）とからなり、かつ第１方向指示位置（Ｍ１，Ｍ２，．．．）、及び第２方向指示位置（Ｐ１，Ｐ２，．．．）は各々８個ずつ設けられている。
【０２９８】
したがって、入力部１０、１０’を通じて入力できる文字の数は、中央入力（Ｃ）を除いて、第１方向入力（Ｍ）を通じて１６個、第２方向入力（Ｐ）を通じて１６個、総３２個であり、入力部１０、１０’が左右２個に設けられるので、入力できる文字の総数は６４個となる。
【０２９９】
これは、ハングル文字２４個、アルファベット２６字を全て配列しても充分な入力容量であるので、１動作１音素入力が可能であり、残る方向指示位置には、記号、数字や各種機能命令などが追加で入力できる。
【０３００】
したがって、文字、数字、記号などを別途のモード変更無しですぐに入力できるので、迅速な文字入力が可能になる。
【０３０１】
例えば、２つの入力部１０、１０’の各々の２段の第２方向入力（Ｐ）によっては文字を入力し、第１方向入力（Ｍ）によってはマウスポインタの移動、エンター、スペース、取消などの機能命令、モード変更、方向指示入力などを遂行することができる。上記方向指示入力を通じてはカーソル移動やメニュー移動、チャネル／ボリューム調節などを遂行することができる。
【０３０２】
ここで、第１方向入力（Ｍ）は１段入力だけで構成することができ、図２１の（ａ）に示すように、２段入力で構成する場合は、数字、記号などがさらに配列できることは勿論である。
【０３０３】
逆に、２つの入力部１０、１０’の各々の２段の第１方向入力（Ｍ）によっては文字を入力し、第２方向入力（Ｐ）によっては機能命令、モード変更、方向指示入力などを遂行することができる。
【０３０４】
または、２つの入力部１０、１０’が各々第１方向指示位置（Ｍ１，Ｍ２，．．．）及び第２方向指示位置（Ｐ１，Ｐ２，．．．）を８個ずつ有する場合、第１方向入力（Ｍ）１段及び第２方向入力（Ｐ）１段のみに文字を配列することができる。
【０３０５】
または、図２１の（ｂ）に示すように、２つの入力部１０、１０’が各々第１方向指示位置（Ｍ１，Ｍ２，．．．）及び第２方向指示位置（Ｐ１，Ｐ２，．．．）を４個ずつ有する場合は、多段の第１方向入力（Ｍ）及び多段の第２方向入力（Ｐ）に文字を配列することができる。
【０３０６】
または、いずれか１つの入力部１０によっては文字を入力し、他の１つの入力部１０’によっては前述したマウスポインタの移動、機能命令、モード変更、方向指示入力などを遂行したり、数字または記号などの入力を遂行することができる。
【０３０７】
この場合、文字入力とマウスを同時に使用できるので、デスクトップコンピュータでキーボードとマウスを同時に使用する効果が得られるので、各種作業は勿論、キーボードとマウスを同時に使用しなければならない複雑な操作が要求されるゲームなどを小型端末機でも遂行できるという長所がある。
【０３０８】
前述した場合においても、第１方向入力（Ｍ）または第２方向入力（Ｐ）のうち、１つ以上が２段で構成される場合は、数字、記号などをさらに配列して入力できることは勿論である。
【０３０９】
図２２は、他の実施形態に従う入力部１０、１０’の構成を示す概念図であって、各々は同一な構成を有する２揃の入力部１０、１０’のうち、１つのみを図示したものである。
【０３１０】
まず、図２２の（ａ）の場合、第１方向入力（Ｍ）は８個の第１方向指示位置（Ｍ１，Ｍ２，．．．）を有し、第２方向入力（Ｐ）は４個の第２方向指示位置（Ｐ１，Ｐ２，．．．）を有する。
【０３１１】
逆に、図２２の（ｂ）の場合は、第１方向入力（Ｍ）が４個の第１方向指示位置（Ｍ１，Ｍ２，．．．）を有し、第２方向入力Ｐが８個の第２方向指示位置（Ｐ１，Ｐ２，．．．）を有する。
【０３１２】
したがって、各実施形態において、１つの入力部１０を通じて入力できる文字の数は総１２個であるので、２つの入力部１０、１０’を通じて総２４個の文字入力が可能である。
【０３１３】
ここで、第１方向入力（Ｍ）または第２方向入力（Ｐ）のうち、いずれか１つを２段入力で構成すると、割り当てられる文字の数をさらに増加させることができる。
【０３１４】
この場合、第１方向入力（Ｍ）は８個の第１方向指示位置（Ｍ１，Ｍ２，．．．）を有し、第２方向入力（Ｐ）は６個の第２方向指示位置（Ｐ１，Ｐ２，．．．）を有することができる。
【０３１５】
即ち、図２２の（ａ）において、第１方向入力（Ｍ）を２段で構成すると、１つの入力部１０に総２０個の文字が割り当て可能であり、第２方向入力（Ｐ）を２段で構成する場合は総１６個の文字が割り当て可能である。
【０３１６】
入力部１０がベース１１０に２揃で設けられる場合、各入力部１０、１０’及び入力動作に割り当てられる文字は多様に配列されることができる。
【０３１７】
例えば、２つの入力部１０、１０’のうち、いずれか一側のみに母音文字を割り当てることもでき、または、各入力部１０、１０’で遂行される第１方向入力（Ｍ）または第２方向入力（Ｐ）のうち、いずれか１つに母音文字が分割されて割り当てられることができる。
【０３１８】
一方、マウスモードに切換される場合、２つの入力部１０のうち、いずれか１つによってはポインタの移動が遂行され、他の１つによってはポインタの操作が遂行されることができる。
【０３１９】
その他
入力部１０は、第１方向入力（Ｍ）または第２方向入力（Ｐ）を遂行した後に自動で基準位置（Ｓ）に戻るリターン機能を有することができる。
【０３２０】
上記リターン機能は多様な方法により具現されることができ、例えば、図３に示すように、入力部１０とベース１１０との間に弾性部材２１を設けることによって、第１方向入力（Ｍ）の後、入力部１０が基準位置（Ｓ）に戻るようにすることができる。
【０３２１】
または、図６に図示された入力部１０の場合、支持部２５を弾性部材で設けることができる。または、第２方向入力（Ｐ）の場合、入力部１０自体を弾性材質で設けることができる。
【０３２２】
前述した弾性部材２１は、リターン機能の他にも、第１方向入力（Ｍ）が多段で遂行される時、各入力を区分して入力できるようにすることができる。
【０３２３】
即ち、図２３に示すように、第１方向入力（Ｍ）が２段で設けられる場合、弾性部材２１は互いに異なる弾性係数を有する２つ（図２３の２１ａ、２１ｂ参照）で設けられることができる。
【０３２４】
したがって、上記複数の弾性部材２１は、異種の材質または形状で設けられることができる。
【０３２５】
ここで、各弾性部材２１の弾性係数は、入力部１０から遠ざかるほど徐々に増加するように順次に配置（即ち、ｋ２１ａ＜ｋ２１ｂ）されることにより、１段入力と２段入力との境界面で弾性係数の差に従う抵抗力が感じられるようにすることが好ましい。
【０３２６】
したがって、弾性係数の差に従い２段入力を遂行するためには、１段入力時より大きい力を必要とするので、使用者が１段入力と２段入力とを区別できることになる。
【０３２７】
一方、前述した方式は、第２方向入力（Ｐ）にも同一に適用されることができる。
【０３２８】
ここで、各弾性部材２１ａ、２１ｂの間には支持リング２２がさらに設けられることができる。
【０３２９】
一方、第１方向入力（Ｍ）、第２方向入力（Ｐ）、または中央入力（Ｃ）のうち、１つ以上が遂行される際、クリック感を与えるクリック手段がさらに設けられることができる。
【０３３０】
クリック手段は公知された多様な種類を適用することができ、例えば、第１方向入力（Ｍ）の場合、入力部１０の移動経路上に突起を設けることによって、入力部１０が通過する時にクリック感を伝達することができる。
【０３３１】
上記クリック手段は、各入力動作全体に適用されることができるが、一部のみに適用されることもできる。例えば、第１方向入力（Ｍ）、第２方向入力（Ｐ）、または中央入力（Ｃ）等が多段入力可能に設けられる場合、２段入力時のみにクリック感を発生するようにすることで、使用者が１段入力と２段入力とを区分するようにすることができる。
【０３３２】
図２を参照すると、ベース１１０の一側には入力モードの切換のためのモード切換キー１２１、またはエンター、取消、カーソルなどの機能命令を入力するためのファンクションキー１２３のうち、１つ以上がさらに設けられることができる。
【０３３３】
ここで、前述したモード切換キー１２１、またはファンクションキー１２３は、タッチ感知方式により設けられることができる。
【０３３４】
一方、ベース１１０の他側には制御部５１により抽出された入力命令が表示されるディスプレイ部１３０が設けられることができる。
【０３３５】
この際、図１９の（ａ）に示すように、ディスプレイ部１３０には使用者の入力動作に従う入力内容、または選択された入力モードで割り当てられた文字が表示される字板表示部７４が設けられることができる。
【０３３６】
一方、字板表示部７４は、図１９の（ｂ）に示すように、入力部１０に隣接したベース１１０の一側に設けられることができる。
【０３３７】
ここで、ディスプレイ部１３０は、図２０に示すように、ベース１１０に着脱可能に設けられることができる。
【０３３８】
即ち、本発明に係る文字入力装置１は、ディスプレイ部１３０が装着された外部機器の本体に着脱可能に設けられることができるところ、この場合、外部機器と有線または無線のうち、１つ以上の方法により接続可能に設けられて、制御部５１から抽出されたデータを外部機器に送受信する送受信部をさらに含むことができる。
【０３３９】
これによって、本発明に係る文字入力装置１をコンピュータやテレビを遠隔制御するためのリモコンとして使用できるところ、この場合、第１方向入力（Ｍ）または第２方向入力（Ｐ）のうち、いずれか１つでチャネル変更やボリューム調節などを遂行することができる。
【０３４０】
特に、両方向通信が可能なディジタルテレビの場合は、前述した一般的なリモコン機能の他にもプログラム検索または貯蔵のための文字入力が遂行できるので、非常に効率の良いといえる。
【０３４１】
または、第１方向入力（Ｍ）で数字入力または各種モード変更を遂行し、第２方向入力（Ｐ）ではチャネルまたはボリューム調節を遂行することができる。
【０３４２】
一方、図１６に示すように、ベース１１０または入力部１０のうち、いずれか１つには、各第１方向指示位置（Ｍ１，Ｍ２，．．．）に対応して各第１方向指示位置（Ｍ１，Ｍ２，．．．）に割り当てられた第１文字が表示された第１文字表示部７２ａと、各第２方向指示位置（Ｐ１，Ｐ２，．．．）に対応して各第２方向指示位置（Ｐ１，Ｐ２，．．．）に割り当てられた第２文字が表示された第２文字表示部７２ｂがさらに設けられることができる。
【０３４３】
第１文字表示部７２ａ及び第２文字表示部７２ｂは、２つ以上の文字が重複割り当てられた場合、入力モードに従い入力される文字が変更されて表示されることができる。
【０３４４】
例えば、第１文字表示部７２ａや第２文字表示部７２ｂをＬＣＤウィンドウ等で設けることによって、ハングル文字入力時にはハングル文字のみ表示され、英文字入力時には英文字のみ表示されるようにすることができる。
【０３４５】
一方、図２に示すように、基準位置（Ｓ）に設けられて入力部１０が基準位置（Ｓ）に位置していることを感知する基準位置感知部６６をさらに含むことができる。
【０３４６】
基準位置感知部６６は、入力部１０が基準位置（Ｓ）に位置していることを感知するものであって、基準位置感知部６６の感知信号は文字の入力のためのリセット信号として使われることができる。
【０３４７】
図２４を参照すると、ベース１１０の入力領域１１１に隣接するように設けられて、入力部１０の入力モードに従ってスクロール、ボリューム調節、または検索機能を遂行する回転ホイール７６がさらに設けられることができる。
【０３４８】
または、回転ホイール７６の代りにスクロールなどの機能を遂行する円形帯形状の感知手段、または入力部１０の周辺に円形で配置された複数の感知手段を設けることができる。
【０３４９】
一方、図２６乃至２８に示すように、入力部１０をベース１１０に対して着脱または移動可能にすることで、使用者が入力位置を自由に変更できるようにすることができる。
【０３５０】
例えば、図２６に示すように、本発明に係る文字入力装置１をポータブル移動通信端末機１００に装着する場合、入力部１０を多様な材質の紐のような連結部材８０を利用して連結することで、データ入力時のみに入力部１０をタッチスクリーン１３０’などに載せて使用するようにすることができる。
【０３５１】
この場合、タッチスクリーン１３０’には基準位置感知部６６が設けられているので、入力部１０または支持部２５の接触が感知されると、自動で入力モードに切換されるようにすることができる。
【０３５２】
または、図２７に示すように、帯状を有する本体８１と、本体８１に設けられて入力部１０が第１方向入力（Ｍ）及び第２方向入力（Ｐ）が遂行可能に収容される収容部８２と、本体８１の両端部に設けられてベース１１０に設けられたスライド溝８５に結合されて滑動される移動支持部８３とを含む連結部材８０を設けることができる。
【０３５３】
この場合、連結部材８０がベース１１０に沿って移動しながら入力部１０が入力位置に移動することになる。
【０３５４】
または、図２８に示すように、入力部１０がフリップタイプの本体８１に収容されることで、ヒンジ部８６により回動しながら入力位置に移動されるようにすることができる。
【０３５５】
ここで、前述した各場合において、入力部１０の移動を感知する第１感知部６１及び第２感知部６３は、タッチスクリーン１３０’に設けられることができる。
【０３５６】
この際、第２感知部６３は、図３０に示すように、入力部１０の移動に従ってその位置が変更されることで、第１方向入力（Ｍ）が遂行された状態で入力部１０が基準位置（Ｓ）に戻る必要無しで、その場に第２方向入力（Ｐ）が遂行されるようにすることができる。
【０３５７】
一方、タッチスクリーン１３０’には、図２９及び図３０に示すように、第１方向入力（Ｍ）及び第２方向入力（Ｐ）により入力される文字が表示される第１字板表示部７４ａ及び第２字板表示部７４ｂが設けられることができ、この場合、第２字板表示部７４ｂは、図２９に示すように、入力部１０の移動に従って移動されることができる。
【産業上の利用可能性】
【０３５８】
本発明に係る文字入力装置によると、文字入力に必要とされる空間を最小化し、かつ使用者の意図に従い各文字を正確に入力することができる。
【０３５９】
また、方向移動入力と方向押圧入力を組み合せて１回の入力動作で１以上の音素が入力できるので、迅速な文字入力が可能である。
【０３６０】
また、入力空間が最小化できるので、製品を小型化、スリム化できるので、ＰＤＡ、ノートブック、ポータブル移動通信端末機など、各種ポータブル電子機器への適用が可能である。
【図１】
2009545054.tif 000009
【図２】
2009545054.tif 000010
【図３】
2009545054.tif 000011
【図４】
2009545054.tif 000012
【図５】
2009545054.tif 000013
【図６】
2009545054.tif 000014
【図７（ａ）】
2009545054.tif 000015
【図７（ｂ）】
2009545054.tif 000016
【図７（ｃ）】
2009545054.tif 000017
【図８】
2009545054.tif 000018
【図９（ａ）】
2009545054.tif 000019
【図９（ｂ）】
2009545054.tif 000020
【図９（ｃ）】
2009545054.tif 000021
【図１０（ａ）】
2009545054.tif 000022
【図１０（ｂ）】
2009545054.tif 000023
【図１０（ｃ）】
2009545054.tif 000024
【図１１（ａ）】
2009545054.tif 000025
【図１１（ｂ）】
2009545054.tif 000026
【図１１（ｃ）】
2009545054.tif 000027
【図１１（ｄ）】
2009545054.tif 000028
【図１２】
2009545054.tif 000029
【図１３（ａ）】
2009545054.tif 000030
【図１３（ｂ）】
2009545054.tif 000031
【図１４（ａ）】
2009545054.tif 000032
【図１４（ｂ）】
2009545054.tif 000033
【図１４（ｃ）】
2009545054.tif 000034
【図１４（ｄ）】
2009545054.tif 000035
【図１５】
2009545054.tif 000036
【図１６（ａ）】
2009545054.tif 000037
【図１６（ｂ）】
2009545054.tif 000038
【図１７】
2009545054.tif 000039
【図１８】
2009545054.tif 000040
【図１９（ａ）】
2009545054.tif 000041
【図１９（ｂ）】
2009545054.tif 000042
【図２０】
2009545054.tif 000043
【図２１（ａ）】
2009545054.tif 000044
【図２１（ｂ）】
2009545054.tif 000045
【図２２（ａ）】
2009545054.tif 000046
【図２２（ｂ）】
2009545054.tif 000047
【図２３】
2009545054.tif 000048
【図２４】
2009545054.tif 000049
【図２５】
2009545054.tif 000050
【図２６】
2009545054.tif 000051
【図２７】
2009545054.tif 000052
【図２８】
2009545054.tif 000053
【図２９】
2009545054.tif 000054
【図３０】
2009545054.tif 000055
【図３１】
2009545054.tif 000056
【図３２】
2009545054.tif 000057
【図３３】
2009545054.tif 000058
【図３４】
2009545054.tif 000059
【国際調査報告】
2009545054.tif 000060
2009545054.tif 000061